(57)【要約】  ワイヤレスデバイスにおけるワイヤレス通信のための技法について説明する。1つの方法は、複数のネットワーク動作エンティティによって共有される無線周波数スペクトル帯域の送信間隔のための、ワイヤレスデバイスの優先権を識別するステップと、送信間隔のいくつかのクリアチャネル評価(CCA)スロットの各々における所定の送信タイプの不在を識別するステップであって、いくつかのCCAスロットの各々は、ワイヤレスデバイスの識別された優先権よりも高い優先権に関連付けられる、ステップと、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信するステップとを含む。
2019531035.tif 000002
【特許請求の範囲】
【請求項１】
ワイヤレスデバイスにおけるワイヤレス通信のための方法であって、
複数のネットワーク動作エンティティによって共有される無線周波数スペクトル帯域の送信間隔のための、前記ワイヤレスデバイスの優先権を識別するステップと、
前記送信間隔のいくつかのクリアチャネル評価(CCA)スロットの各々における所定の送信タイプの不在を識別するステップであって、前記いくつかのCCAスロットの各々は、前記ワイヤレスデバイスの前記識別された優先権よりも高い優先権に関連付けられる、ステップと、
前記ワイヤレスデバイスの前記優先権よりも高い前記優先権に関連付けられた前記いくつかのCCAスロットの各々における前記所定の送信タイプの前記識別された不在に少なくとも部分的に基づいて、前記無線周波数スペクトル帯域を介して通信するステップとを含む方法。
【請求項２】
通信する前記ステップは、
前記無線周波数スペクトル帯域を介してプリアンブルを送信するステップであって、前記プリアンブルは前記送信間隔のCCAスロット中に送信され、前記CCAスロットは、前記ワイヤレスデバイスの前記優先権に関連付けられる、ステップと、
前記送信間隔中に、前記無線周波数スペクトル帯域を介してデータを送信または受信するステップとを含む、請求項1に記載の方法。
【請求項３】
前記プリアンブル中で前記送信間隔の長さをシグナリングするステップをさらに含む、請求項2に記載の方法。
【請求項４】
通信する前記ステップは、
前記無線周波数スペクトル帯域を介して予約メッセージを送信するステップであって、前記予約メッセージは前記送信間隔のCCAスロット中に送信され、前記CCAスロットは、前記ワイヤレスデバイスの前記優先権に関連付けられる、ステップと、
前記CCAスロット中で、前記予約メッセージに応答して、前記無線周波数スペクトル帯域を介して送信された確認応答メッセージを検出するステップと、
前記確認応答メッセージの前記検出に少なくとも部分的に基づいて、前記送信間隔中に、前記無線周波数スペクトル帯域を介してデータを送信または受信するステップとを含む、請求項1に記載の方法。
【請求項５】
前記予約メッセージは送信要求(RTS)メッセージを含み、前記確認応答メッセージは送信可(CTS)メッセージを含む、請求項4に記載の方法。
【請求項６】
前記所定の送信タイプは、プリアンブル、予約メッセージ、送信要求(RTS)メッセージ、確認応答メッセージ、送信可(CTS)メッセージ、またはそれらの組合せのうちの少なくとも1つを含む、請求項1に記載の方法。
【請求項７】
前記送信間隔は第1の送信間隔であり、前記方法は、
前記無線周波数スペクトル帯域の第2の送信間隔のための、前記ワイヤレスデバイスの第2の優先権を識別するステップであって、前記第2の優先権は、前記第1の送信間隔のための、前記ワイヤレスデバイスの前記優先権とは異なる、ステップをさらに含む、請求項1に記載の方法。
【請求項８】
前記いくつかのCCAスロットの各々の間に前記無線周波数スペクトル帯域を監視するステップをさらに含む、請求項1に記載の方法。
【請求項９】
ワイヤレスデバイスにおけるワイヤレス通信のための装置であって、
プロセッサと、
前記プロセッサと電子通信しているメモリと、
前記メモリに記憶された命令とを備え、前記命令は、前記プロセッサによって実行されると、前記装置に、
複数のネットワーク動作エンティティによって共有される無線周波数スペクトル帯域の送信間隔のための、前記ワイヤレスデバイスの優先権を識別することと、
前記送信間隔のいくつかのクリアチャネル評価(CCA)スロットの各々における所定の送信タイプの不在を識別することであって、前記いくつかのCCAスロットの各々は、前記ワイヤレスデバイスの前記識別された優先権よりも高い優先権に関連付けられる、識別することと、
前記ワイヤレスデバイスの前記優先権よりも高い前記優先権に関連付けられた前記いくつかのCCAスロットの各々における前記所定の送信タイプの前記識別された不在に少なくとも部分的に基づいて、前記無線周波数スペクトル帯域を介して通信することとを行わせる、装置。
【請求項１０】
前記装置に通信させるための前記命令は、前記装置に、
前記無線周波数スペクトル帯域を介してプリアンブルを送信することであって、前記プリアンブルは前記送信間隔のCCAスロット中に送信され、前記CCAスロットは、前記ワイヤレスデバイスの前記優先権に関連付けられる、送信することと、
前記送信間隔中に、前記無線周波数スペクトル帯域を介してデータを送信または受信することとを行わせるための命令を含む、請求項9に記載の装置。
【請求項１１】
前記命令は、前記プロセッサによって実行されると、前記装置に、
前記プリアンブル中で前記送信間隔の長さをシグナリングさせる、請求項10に記載の装置。
【請求項１２】
前記装置に通信させるための前記命令は、前記装置に、
前記無線周波数スペクトル帯域を介して予約メッセージを送信することであって、前記予約メッセージは前記送信間隔のCCAスロット中に送信され、前記CCAスロットは、前記ワイヤレスデバイスの前記優先権に関連付けられる、送信することと、
前記CCAスロット中で、前記予約メッセージに応答して、前記無線周波数スペクトル帯域を介して送信された確認応答メッセージを検出することと、
前記確認応答メッセージの前記検出に少なくとも部分的に基づいて、前記送信間隔中に、前記無線周波数スペクトル帯域を介してデータを送信または受信することとを行わせるための前記命令を含む、請求項9に記載の装置。
【請求項１３】
前記予約メッセージは送信要求(RTS)メッセージを含み、前記確認応答メッセージは送信可(CTS)メッセージを含む、請求項12に記載の装置。
【請求項１４】
前記所定の送信タイプは、プリアンブル、予約メッセージ、送信要求(RTS)メッセージ、確認応答メッセージ、送信可(CTS)メッセージ、またはそれらの組合せのうちの少なくとも1つを含む、請求項9に記載の装置。
【請求項１５】
前記送信間隔は第1の送信間隔であり、前記命令は、前記プロセッサによって実行されるとさらに、前記装置に、
前記無線周波数スペクトル帯域の第2の送信間隔のための、前記ワイヤレスデバイスの第2の優先権を識別することであって、前記第2の優先権は、前記第1の送信間隔のための、前記ワイヤレスデバイスの前記優先権とは異なる、識別することを行わせる、請求項9に記載の装置。
【請求項１６】
前記命令は、前記プロセッサによって実行されると、前記装置に、
前記いくつかのCCAスロットの各々の間に前記無線周波数スペクトル帯域を監視させる、請求項9に記載の装置。
【請求項１７】
ワイヤレスデバイスにおけるワイヤレス通信のための装置であって、
複数のネットワーク動作エンティティによって共有される無線周波数スペクトル帯域の送信間隔のための、前記ワイヤレスデバイスの優先権を識別するための手段と、
前記送信間隔のいくつかのクリアチャネル評価(CCA)スロットの各々における所定の送信タイプの不在を識別するための手段であって、前記いくつかのCCAスロットの各々は、前記ワイヤレスデバイスの前記識別された優先権よりも高い優先権に関連付けられる、手段と、
前記ワイヤレスデバイスの前記優先権よりも高い前記優先権に関連付けられた前記いくつかのCCAスロットの各々における前記所定の送信タイプの前記識別された不在に少なくとも部分的に基づいて、前記無線周波数スペクトル帯域を介して通信するための手段とを備える装置。
【請求項１８】
通信するための前記手段は、
前記無線周波数スペクトル帯域を介してプリアンブルを送信するための手段であって、前記プリアンブルは前記送信間隔のCCAスロット中に送信され、前記CCAスロットは、前記ワイヤレスデバイスの前記優先権に関連付けられる、手段と、
前記送信間隔中に、前記無線周波数スペクトル帯域を介してデータを送信または受信するための手段とを備える、請求項17に記載の装置。
【請求項１９】
前記プリアンブル中で前記送信間隔の長さをシグナリングするための手段をさらに備える、請求項18に記載の装置。
【請求項２０】
通信するための前記手段は、
前記無線周波数スペクトル帯域を介して予約メッセージを送信するための手段であって、前記予約メッセージは前記送信間隔のCCAスロット中に送信され、前記CCAスロットは、前記ワイヤレスデバイスの前記優先権に関連付けられる、手段と、
前記CCAスロット中で、前記予約メッセージに応答して、前記無線周波数スペクトル帯域を介して送信された確認応答メッセージを検出するための手段と、
前記確認応答メッセージの前記検出に少なくとも部分的に基づいて、前記送信間隔中に、前記無線周波数スペクトル帯域を介してデータを送信または受信するための手段とを備える、請求項17に記載の装置。
【請求項２１】
前記予約メッセージは送信要求(RTS)メッセージを含み、前記確認応答メッセージは送信可(CTS)メッセージを含む、請求項20に記載の装置。
【請求項２２】
前記所定の送信タイプは、プリアンブル、予約メッセージ、送信要求(RTS)メッセージ、確認応答メッセージ、送信可(CTS)メッセージ、またはそれらの組合せのうちの少なくとも1つを含む、請求項17に記載の装置。
【請求項２３】
前記送信間隔は第1の送信間隔であり、前記装置は、
前記無線周波数スペクトル帯域の第2の送信間隔のための、前記ワイヤレスデバイスの第2の優先権を識別するための手段であって、前記第2の優先権は、前記第1の送信間隔のための、前記ワイヤレスデバイスの前記優先権とは異なる、手段をさらに備える、請求項17に記載の装置。
【請求項２４】
いくつかのCCAスロットの各々の間に前記無線周波数スペクトル帯域を監視するための手段をさらに備える、請求項17に記載の装置。
【請求項２５】
ワイヤレスデバイスにおけるワイヤレス通信のためのコードを記憶する非一時的コンピュータ可読記憶媒体であって、前記コードは、
複数のネットワーク動作エンティティによって共有される無線周波数スペクトル帯域の送信間隔のための、前記ワイヤレスデバイスの優先権を識別することと、
前記送信間隔のいくつかのクリアチャネル評価(CCA)スロットの各々における所定の送信タイプの不在を識別することであって、前記いくつかのCCAスロットの各々は、前記ワイヤレスデバイスの前記識別された優先権よりも高い優先権に関連付けられる、識別することと、
前記ワイヤレスデバイスの前記優先権よりも高い前記優先権に関連付けられた前記いくつかのCCAスロットの各々における前記所定の送信タイプの前記識別された不在に少なくとも部分的に基づいて、前記無線周波数スペクトル帯域を介して通信することとを行うように実行可能な命令を含む、非一時的コンピュータ可読記憶媒体。
【請求項２６】
前記命令が、通信するために実行されると、前記命令は、
前記無線周波数スペクトル帯域を介してプリアンブルを送信することであって、前記プリアンブルは前記送信間隔のCCAスロット中に送信され、前記CCAスロットは、前記ワイヤレスデバイスの前記優先権に関連付けられる、送信することと、
前記送信間隔中に、前記無線周波数スペクトル帯域を介してデータを送信または受信することとを行うようにさらに実行可能である、請求項25に記載の非一時的コンピュータ可読記憶媒体。
【請求項２７】
前記命令は、
前記プリアンブル中で前記送信間隔の長さをシグナリングするようにさらに実行可能である、請求項26に記載の非一時的コンピュータ可読記憶媒体。
【請求項２８】
前記命令が、通信するために実行されると、前記命令は、
前記無線周波数スペクトル帯域を介して予約メッセージを送信することであって、前記予約メッセージは前記送信間隔のCCAスロット中に送信され、前記CCAスロットは、前記ワイヤレスデバイスの前記優先権に関連付けられる、送信することと、
前記CCAスロット中で、前記予約メッセージに応答して、前記無線周波数スペクトル帯域を介して送信された確認応答メッセージを検出することと、
前記確認応答メッセージの前記検出に少なくとも部分的に基づいて、前記送信間隔中に、前記無線周波数スペクトル帯域を介してデータを送信または受信することとを行わせるための前記命令を含む、請求項25に記載の非一時的コンピュータ可読記憶媒体。
【請求項２９】
前記予約メッセージは送信要求(RTS)メッセージを含み、前記確認応答メッセージは送信可(CTS)メッセージを含む、請求項28に記載の非一時的コンピュータ可読記憶媒体。
【請求項３０】
前記送信間隔は第1の送信間隔であり、前記命令は、
前記無線周波数スペクトル帯域の第2の送信間隔のための、前記ワイヤレスデバイスの第2の優先権を識別することであって、前記第2の優先権は、前記第1の送信間隔のための、前記ワイヤレスデバイスの前記優先権とは異なる、識別することを行うようにさらに実行可能である、請求項25に記載の非一時的コンピュータ可読記憶媒体。
【発明の詳細な説明】
【技術分野】
【０００１】
相互参照
本特許出願は、各々が本出願の譲受人に譲渡される、2017年4月12日に出願された「Techniques for Contending for Access to a Radio Frequency Spectrum Band Using a Coordinated Listen Before Talk Procedure」と題するZhangらによる米国特許出願第15/486,197号、および2016年10月12日に出願された「Techniques for Contending for Access to a Radio Frequency Spectrum Band Using a Coordinated Listen Before Talk Procedure」と題するZhangらによる米国仮特許出願第62/407,365号の優先権を主張する。
【０００２】
本開示は、たとえば、ワイヤレス通信システムに関し、より詳細には、協調リッスンビフォアトーク(LBT)手順を使って、無線周波数スペクトル帯域へのアクセスについて競合するための技法に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムがある。
【０００４】
ワイヤレス多元接続通信システムは、ユーザ機器(UE)としても知られている複数の通信デバイスのための通信を各々が同時にサポートする、いくつかのネットワークアクセスデバイスを含み得る。ロングタームエボリューション(LTE)ネットワークまたはLTEアドバンスト(LTE-A)ネットワークでは、ネットワークアクセスデバイスが、eノードB(eNB)を定義する1つまたは複数の基地局のセットをもつ、基地局の形をとり得る。次世代の、ニューラジオ、または5Gネットワークでは、ネットワークアクセスデバイスは、スマート無線ヘッド(もしくは無線ヘッド(RH))またはアクセスノードコントローラ(ANC)の形をとることができ、スマート無線ヘッドのセットが、eNBを定義するANCと通信する。基地局またはスマート無線ヘッドは、(たとえば、基地局またはスマート無線ヘッドからUEへの送信用の)ダウンリンクチャネル上および(たとえば、UEから基地局またはスマート無線ヘッドへの送信用の)アップリンクチャネル上で、UEのセットと通信し得る。
【０００５】
いくつかのケースでは、ネットワークアクセスデバイスは、複数のネットワーク動作エンティティによって共有される無線周波数スペクトル帯域を介してUEと通信し得る。そのようなケースでは、ネットワークアクセスデバイスおよび/またはUEは、共有無線周波数スペクトル帯域へのアクセスについて競合する必要があり得る。
【発明の概要】
【課題を解決するための手段】
【０００６】
説明する技法は、協調LBT手順を使って無線周波数スペクトル帯域にアクセスすることを可能にする。協調LBT手順は、送信間隔中に無線周波数スペクトル帯域を介して通信することを望む複数のワイヤレスデバイスの各々によって(たとえば、ネットワークアクセスデバイスまたはUEによって)、送信間隔向けに実施され得る。ワイヤレスデバイスは、異なるネットワーク動作エンティティに関連付けられるか、またはそれらによって管理されるワイヤレスデバイスを含み得る。ネットワーク動作エンティティは、送信間隔中に無線周波数スペクトル帯域にアクセスするための、異なる相対優先権に関連付けられ得る。送信間隔中に無線周波数スペクトル帯域にアクセスするための最も高い優先権を有するネットワーク動作エンティティ(network operating entity)のワイヤレスデバイスが、送信間隔の冒頭部分において、無線周波数スペクトル帯域を介してプリアンブルまたは予約メッセージ(たとえば、送信要求(RTS)メッセージ)を送信し、送信間隔中に無線周波数スペクトル帯域を介して他のワイヤレスデバイスと通信し得る。送信間隔についてのより低い優先権を有するネットワーク動作エンティティのワイヤレスデバイスは、送信間隔についてのより高い優先権を有するネットワーク動作エンティティのワイヤレスデバイスによって送信されたプリアンブル、予約メッセージ、または確認応答メッセージを検出すると、送信間隔中は、無線周波数スペクトル帯域を介して通信するのを控えるように構成され得る。送信間隔中に無線周波数スペクトル帯域にアクセスするための、より低い優先権を有するネットワーク動作エンティティのワイヤレスデバイスは、送信間隔のいくつかのクリアチャネル評価(CCA)スロットの各々における所定の送信タイプ(たとえば、プリアンブル、予約メッセージ、確認応答メッセージ、またはそれらの組合せ)の不在を識別した後、無線周波数スペクトル帯域を介して通信することができる。いくつかのCCAスロットの各々は、ワイヤレスデバイスの識別された優先権よりも高い優先権に関連付けられ得る。無線周波数スペクトル帯域が送信間隔中のアクセス用にクリアであると判断した、より低い優先権のワイヤレスデバイスは、その送信間隔には無線周波数スペクトル帯域が予約されていることを、より低い優先権のワイヤレスデバイスに通知するためのプリアンブルまたは予約メッセージを送信してよい。
【０００７】
一例では、ワイヤレスデバイスにおけるワイヤレス通信のための方法について説明する。この方法は、複数のネットワーク動作エンティティによって共有される無線周波数スペクトル帯域の送信間隔のための、ワイヤレスデバイスの優先権を識別するステップと、送信間隔のいくつかのCCAスロットの各々における所定の送信タイプの不在を識別するステップであって、いくつかのCCAスロットの各々は、ワイヤレスデバイスの識別された優先権よりも高い優先権に関連付けられる、ステップと、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信するステップとを含み得る。
【０００８】
方法のいくつかの例では、通信するステップは、無線周波数スペクトル帯域を介してプリアンブルを送信するステップを含み得る。プリアンブルは、送信間隔のCCAスロット中に送信され得る。CCAスロットは、ワイヤレスデバイスの優先権に関連付けられ得る。通信するステップは、送信間隔中に、無線周波数スペクトル帯域を介してデータを送信または受信するステップも含み得る。いくつかの例では、方法は、プリアンブル中で送信間隔の長さをシグナリングするステップをさらに含み得る。
【０００９】
方法のいくつかの例では、通信するステップは、無線周波数スペクトル帯域を介して予約メッセージを送信するステップを含み得る。予約メッセージは、送信間隔のCCAスロット中に送信され得る。CCAスロットは、ワイヤレスデバイスの優先権に関連付けられ得る。通信するステップはまた、CCAスロット中で、予約メッセージに応答して、無線周波数スペクトル帯域を介して送信された確認応答メッセージを検出するステップと、確認応答メッセージの検出に少なくとも部分的に基づいて、送信間隔中に、無線周波数スペクトル帯域を介してデータを送信または受信するステップとを含み得る。いくつかの例では、予約メッセージはRTSメッセージを含むことができ、確認応答メッセージはCTSメッセージを含むことができる。
【００１０】
方法のいくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例では、送信間隔は第1の送信間隔であってよく、方法は、無線周波数スペクトル帯域の第2の送信間隔のための、ワイヤレスデバイスの第2の優先権を識別するステップをさらに含み得る。第2の優先権は、第1の送信間隔のための、ワイヤレスデバイスの優先権とは異なってよい。いくつかの例では、方法は、いくつかのCCAスロットの各々の間に無線周波数スペクトル帯域を監視するステップを含み得る。
【００１１】
一例では、ワイヤレスデバイスにおけるワイヤレス通信のための装置について説明する。この装置は、プロセッサと、プロセッサと電子通信するメモリと、メモリ中に記憶された命令とを含み得る。命令は、プロセッサによって実行されると、装置に、複数のネットワーク動作エンティティによって共有される無線周波数スペクトル帯域の送信間隔のための、ワイヤレスデバイスの優先権を識別することと、送信間隔のいくつかのCCAスロットの各々における所定の送信タイプの不在を識別することであって、いくつかのCCAスロットの各々は、ワイヤレスデバイスの識別された優先権よりも高い優先権に関連付けられる、識別することと、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信することとを行わせるように動作可能であり得る。
【００１２】
装置のいくつかの例では、装置に通信させるための命令は、装置に、無線周波数スペクトル帯域を介してプリアンブルを送信させるための命令を含み得る。プリアンブルは、送信間隔のCCAスロット中に送信され得る。CCAスロットは、ワイヤレスデバイスの優先権に関連付けられ得る。装置に通信させるための命令は、装置に、送信間隔中に、無線周波数スペクトル帯域を介してデータを送信または受信させるための命令も含み得る。いくつかの例では、命令は、プロセッサによって実行されると、装置に、プリアンブル中で送信間隔の長さをシグナリングさせ得る。
【００１３】
装置のいくつかの例では、装置に通信させるための命令は、装置に、無線周波数スペクトル帯域を介して予約メッセージを送信させるための命令を含み得る。予約メッセージは、送信間隔のCCAスロット中に送信され得る。CCAスロットは、ワイヤレスデバイスの優先権に関連付けられ得る。装置に通信させるための命令は、装置に、CCAスロット中で、予約メッセージに応答して、無線周波数スペクトル帯域を介して送信された確認応答メッセージを検出させるため、および確認応答メッセージの検出に少なくとも部分的に基づいて、送信間隔中に、無線周波数スペクトル帯域を介してデータを送信または受信するための命令も含み得る。いくつかの例では、予約メッセージはRTSメッセージを含むことができ、確認応答メッセージはCTSメッセージを含むことができる。
【００１４】
装置のいくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例では、送信間隔は第1の送信間隔であってよく、命令は、プロセッサによって実行されると、装置にさらに、無線周波数スペクトル帯域の第2の送信間隔のための、ワイヤレスデバイスの第2の優先権を識別させ得る。第2の優先権は、第1の送信間隔のための、ワイヤレスデバイスの優先権とは異なってよい。いくつかの例では、命令は、プロセッサによって実行されると、装置に、いくつかのCCAスロットの各々の間に無線周波数スペクトル帯域を監視させ得る。
【００１５】
一例では、ワイヤレスデバイスにおけるワイヤレス通信のための別の装置について説明する。装置は、複数のネットワーク動作エンティティによって共有される無線周波数スペクトル帯域の送信間隔のための、ワイヤレスデバイスの優先権を識別するための手段と、送信間隔のいくつかのCCAスロットの各々における所定の送信タイプの不在を識別するための手段であって、いくつかのCCAスロットの各々は、ワイヤレスデバイスの識別された優先権よりも高い優先権に関連付けられる、手段と、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信するための手段とを含み得る。
【００１６】
装置のいくつかの例では、通信するための手段は、無線周波数スペクトル帯域を介してプリアンブルを送信するための手段を含み得る。プリアンブルは、送信間隔のCCAスロット中に送信され得る。CCAスロットは、ワイヤレスデバイスの優先権に関連付けられ得る。通信するための手段は、送信間隔中に、無線周波数スペクトル帯域を介してデータを送信または受信するための手段も含み得る。
【００１７】
装置のいくつかの例では、通信するための手段は、無線周波数スペクトル帯域を介して予約メッセージを送信するための手段を含み得る。予約メッセージは、送信間隔のCCAスロット中に送信され得る。CCAスロットは、ワイヤレスデバイスの優先権に関連付けられ得る。通信するための手段はまた、CCAスロット中で、予約メッセージに応答して、無線周波数スペクトル帯域を介して送信された確認応答メッセージを検出するための手段と、確認応答メッセージの検出に少なくとも部分的に基づいて、送信間隔中に、無線周波数スペクトル帯域を介してデータを送信または受信するための手段とを含み得る。いくつかの例では、予約メッセージはRTSメッセージを含むことができ、確認応答メッセージはCTSメッセージを含むことができる。
【図面の簡単な説明】
【００１８】
【図１】本開示の1つまたは複数の態様による、ワイヤレス通信システムの例を示す図である。
【図２】本開示の様々な態様による、協調リソース区分をサポートするワイヤレス通信システムの例を示す図である。
【図３】本開示の様々な態様による、協調リソース区分のためのタイミング図300の例を示す図である。
【図４】本開示の様々な態様による、無線周波数スペクトル帯域の送信間隔中の送信シナリオを示す図である。
【図５】本開示の様々な態様による、無線周波数スペクトル帯域の送信間隔中の送信シナリオを示す図である。
【図６】本開示の様々な態様による、無線周波数スペクトル帯域の送信間隔中の送信シナリオを示す図である。
【図７】本開示の様々な態様による、無線周波数スペクトル帯域の送信間隔中の送信シナリオを示す図である。
【図８】本開示の様々な態様による、協調LBT手順を使って無線周波数スペクトル帯域にアクセスするのをサポートするワイヤレスデバイスのブロック図である。
【図９】本開示の様々な態様による、協調LBT手順を使って無線周波数スペクトル帯域にアクセスするのをサポートするワイヤレスデバイスのブロック図である。
【図１０】本開示の様々な態様による、協調LBT手順を使って無線周波数スペクトル帯域にアクセスするのをサポートするワイヤレス通信マネージャのブロック図である。
【図１１】本開示の様々な態様による、協調LBT手順を使って無線周波数スペクトル帯域にアクセスするのをサポートするワイヤレスデバイスを含むワイヤレス通信システムの図である。
【図１２】本開示の様々な態様による、協調LBT手順を使って無線周波数スペクトル帯域にアクセスするのをサポートするワイヤレスデバイスを含むワイヤレス通信システムの図である。
【図１３】本開示の様々な態様による、ワイヤレスデバイスにおけるワイヤレス通信のための方法を示すフローチャートである。
【図１４】本開示の様々な態様による、ワイヤレスデバイスにおけるワイヤレス通信のための方法を示すフローチャートである。
【図１５】本開示の様々な態様による、ワイヤレスデバイスにおけるワイヤレス通信のための方法を示すフローチャートである。
【図１６】本開示の様々な態様による、ワイヤレスデバイスにおけるワイヤレス通信のための方法を示すフローチャートである。
【発明を実施するための形態】
【００１９】
異なるネットワーク動作エンティティ(たとえば、ネットワークオペレータ)によって動作されるワイヤレス通信システムが、無線周波数スペクトル帯域を共有する場合がある(共有スペクトル)。いくつかの好適な事例では、ネットワーク動作エンティティは、別のネットワーク動作エンティティが、指定された共有スペクトルの全体を異なる時間期間に使う前の時間期間だけは少なくとも、指定された共有スペクトルの全体を使うように構成され得る。したがって、ネットワーク動作エンティティに、完全な指定された共有スペクトルの使用を許すために、および異なるネットワーク動作エンティティの間の干渉通信を緩和するために、いくつかのリソース(たとえば、時間)が、区分され、ある特定のタイプの通信のために異なるネットワーク動作エンティティに割り振られてよい。
【００２０】
たとえば、ネットワーク動作エンティティには、共有スペクトルの全体を使う、ネットワーク動作エンティティによる排他通信のために予約された、いくつかの時間リソースが割り振られ得る。ネットワーク動作エンティティには、他の時間リソースも割り振ることができ、この場合、エンティティは、通信するための、他のネットワーク動作エンティティに勝る優先権を与えられる。ネットワーク動作エンティティによる使用のために優先される、これらの時間リソースは、優先されるネットワーク動作エンティティがリソースを利用しない場合、他のネットワーク動作エンティティによって機会主義的に利用される場合がある。追加時間リソースが、機会主義的に使うために、どのネットワークオペレータに割り振られてもよい。
【００２１】
共有スペクトルへのアクセスおよび異なるネットワーク動作エンティティの間での時間リソースの調停は、別個のエンティティによって中心的に制御され、あらかじめ定義された調停方式によって自律的に判断され、またはネットワークオペレータのワイヤレスノードの間の対話に基づいて動的に判断され得る。
【００２２】
いくつかのケースでは、ワイヤレスデバイスは、送信間隔用の共有スペクトルへのアクセスについて競合し得る。これらのケースでは、異なるネットワーク動作エンティティのワイヤレスデバイスは、送信間隔中に共有スペクトルにアクセスする(またはそれを介して通信する)ための異なる優先権に関連付けられ得る。たとえば、第1のネットワーク動作エンティティのワイヤレスデバイスは、共有スペクトルを介して通信するための最も高い優先権を有することができ、第2のネットワーク動作エンティティのワイヤレスデバイスは、共有スペクトルを介して通信するための2番目に高い優先権を有することができ、第3のネットワーク動作エンティティのワイヤレスデバイスは、共有スペクトルを介して通信するための3番目に高い優先権を有することができる。異なるネットワーク動作エンティティのワイヤレスデバイスに関連付けられた優先権に少なくとも部分的に基づいて、ワイヤレスデバイスは、協調LBT手順(すなわち、異なるネットワーク動作エンティティのワイヤレスデバイスは、異なるときに共有スペクトルにアクセスする機会を割り振られるが、より高い優先権のネットワーク動作エンティティのワイヤレスデバイスが送信間隔用に共有スペクトルをまだ予約していない場合に、共有スペクトルにアクセスすることを許されるだけであるLBT手順)を実施することができる。
【００２３】
本開示の態様について、最初にワイヤレス通信システムの文脈で説明する。本開示の態様について、タイミング図の文脈でも説明する。本開示の態様はさらに、協調LBT手順に従って無線周波数スペクトル帯域にアクセスすることに関する装置図、システム図、およびフローチャートによって示され、それらを参照して説明される。
【００２４】
図1は、本開示の1つまたは複数の態様による、ワイヤレス通信システム100の例を示す。ワイヤレス通信システム100は、ネットワークアクセスデバイス105(たとえば、eNB105-a、ANC105-b、および/またはRH105-c)、UE115、ならびにコアネットワーク(CN)130を含み得る。コアネットワーク130は、ユーザ認証、アクセス許可、追跡、インターネットプロトコル(IP)接続性、および他のアクセス機能、ルーティング機能、またはモビリティ機能を提供することができる。ネットワークアクセスデバイス105(たとえば、eNB105-aまたはANC105-b)のうちの少なくともいくつかが、バックホールリンク132(たとえば、S1、S2など)を通してコアネットワーク130とインターフェースすることができ、UE115との通信のために無線構成およびスケジューリングを実施することができる。様々な例では、ANC105-bは、ワイヤード通信リンクまたはワイヤレス通信リンクであり得るバックホールリンク134(たとえば、X1、X2など)を介して、直接または間接的に(たとえば、コアネットワーク130を通して)のいずれかで、互いと通信し得る。各ANC105-bはまた、いくつかのスマート無線ヘッド(たとえば、RH105-c)を通していくつかのUE115と通信し得る。ワイヤレス通信システム100の代替構成では、ANC105-bの機能性は、無線ヘッド105-cによって提供されるか、またはeNB105-aの無線ヘッド105-cに分散され得る。ワイヤレス通信システム100の別の代替構成(たとえば、LTE/LTE-A構成)では、無線ヘッド105-cは基地局と置き換えられてよく、ANC105-bは、基地局コントローラ(またはコアネットワーク130へのリンク)で置き換えられてよい。いくつかの例では、ワイヤレス通信システム100は、異なる無線アクセス技術(RAT)(たとえば、LTE/LTE-A、5G、Wi-Fiなど)に従って通信を受信/送信するための無線ヘッド105-c、基地局、および/または他のネットワークアクセスデバイス105の混合を含み得る。
【００２５】
マクロセルは、比較的大きい地理的エリア(たとえば、半径数キロメートル)をカバーすることがあり、ネットワークプロバイダのサービスに加入しているUE115による無制限アクセスを可能にすることがある。スモールセルは、マクロセルと比較すると低電力無線ヘッドまたは基地局を含んでよく、マクロセルと同じまたは異なる周波数帯域において動作してよい。スモールセルは、様々な例によれば、ピコセル、フェムトセル、およびマイクロセルを含んでよい。ピコセルは、比較的小さい地理的エリアをカバーしてよく、サービスに加入しているUE115によるネットワークプロバイダとの無制限アクセスを可能にしてよい。フェムトセルも、比較的小さい地理的エリア(たとえば、自宅)をカバーすることができ、フェムトセルとの関連性を有するUE115(たとえば、限定加入者グループ(CSG)の中のUE、自宅内のユーザのためのUEなど)による制限付きアクセスを提供できる。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００２６】
ワイヤレス通信システム100は、同期動作または非同期動作をサポートし得る。同期動作の場合、eNB105-aおよび/または無線ヘッド105-cは、同様のフレームタイミングを有し得、異なるeNB105-aおよび/または無線ヘッド105-cからの送信は、時間的にほぼ位置合わせされ得る。非同期動作の場合、eNB105-aおよび/または無線ヘッド105-cは、異なるフレームタイミングを有し得、異なるeNB105-aおよび/または無線ヘッド105-cからの送信は、時間的に位置合わせされないことがある。本明細書で説明する技法は、同期動作または非同期動作のいずれかのために使用され得る。
【００２７】
開示する様々な例のうちのいくつかに適応し得る通信ネットワークは、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、いくつかのケースでは、論理チャネルを介して通信するために、パケットのセグメント化および再アセンブリを実施してよい。媒体アクセス制御(MAC)レイヤは、優先順位処理と、トランスポートチャネルへの論理チャネルの多重化とを実施し得る。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115と無線ヘッド105-c、ANC105-b、またはコアネットワーク130との間のRRC接続の確立、構成、および保守を行い得る。物理(PHY)レイヤにおいて、トランスポートチャネルは物理チャネルにマッピングされ得る。
【００２８】
UE115は、ワイヤレス通信システム100全体にわたって分散されてよく、各UE115は固定または移動であり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の適切な用語を含むか、または当業者によってそのように呼ばれることがある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局、モノのインターネット(IoE)デバイスなどであり得る。UE115は、マクロeNB、スモールセルeNB、中継基地局などを含む、様々なタイプのeNB105-a、無線ヘッド105-c、基地局、アクセスポイント、または他のネットワークアクセスデバイスと通信することが可能であり得る。UE115はまた、(たとえば、ピアツーピア(P2P)プロトコルを使用して)他のUE115と直接通信することが可能であり得る。
【００２９】
ワイヤレス通信システム100に示す通信リンク125は、UE115から無線ヘッド105-cへのアップリンク(UL)、および/または無線ヘッド105-cからUE115へのダウンリンク(DL)を含み得る。ダウンリンクは順方向リンクと呼ばれることもあり、アップリンクは逆方向リンクと呼ばれることもある。制御情報およびデータは、様々な技法に従ってアップリンクまたはダウンリンク上で多重化され得る。制御情報およびデータは、たとえば、TDM技法、FDM技法、またはハイブリッドTDM-FDM技法を使用して、アップリンクまたはダウンリンク上で多重化され得る。
【００３０】
各通信リンク125は、1つまたは複数のキャリアを含むことがあり、各キャリアは、1つまたは複数の無線接続技術に従って変調される複数のサブキャリア(たとえば、異なる周波数の波形信号)からなる信号であり得る。各被変調信号は、異なるサブキャリア上で送信されてよく、制御情報(たとえば、基準信号、制御チャネルなど)、オーバーヘッド情報、ユーザデータなどを搬送してよい。通信リンク125は、(たとえば、ペアにされたスペクトルリソースを使用する)周波数分割複信(FDD)技法、または(たとえば、ペアにされていないスペクトルリソースを使用する)時分割複信技法を使用して、双方向通信を送信し得る。FDD用のフレーム構造(たとえば、フレーム構造タイプ1)およびTDD用のフレーム構造(たとえば、フレーム構造タイプ2)が規定され得る。
【００３１】
ワイヤレス通信システム100のいくつかの例では、ネットワークアクセスデバイス105(たとえば、無線ヘッド105-c)およびUE115は、ネットワークアクセスデバイス105とUE115との間の通信品質および信頼性を改善するために、アンテナダイバーシティ方式を利用するための複数のアンテナを含み得る。追加または代替として、ネットワークアクセスデバイスおよびUE115は、同じまたは異なるコード化データを搬送する複数の空間レイヤを送信するためにマルチパス環境を利用する場合がある、多入力多出力(MIMO)技法を利用してよい。いくつかのケースでは、ビームフォーミング(すなわち、指向性送信)などの信号処理技法が、信号エネルギーをコヒーレントに結合するため、および特定のビーム方向における経路損失を克服するために、MIMO技法とともに使用され得る。プリコーディング(たとえば、異なる経路もしくはレイヤ上での、または異なるアンテナからの重み付き送信)が、MIMOまたはビームフォーミング技法とともに使われ得る。
【００３２】
ワイヤレス通信システム100は、複数のセル上またはキャリア上での動作、すなわち、キャリアアグリゲーション(CA)またはマルチキャリア動作と呼ばれることがある特徴をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書で互換的に使用され得る。UE115は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方とともに使用され得る。専用スペクトル(たとえば、専用無線周波数スペクトル帯域)または共有スペクトル(たとえば、共有無線周波数スペクトル帯域)にわたってキャリアが確立され得る。
【００３３】
いくつかの例では、UE115はワイヤレス通信マネージャ120を含み得る。ワイヤレス通信マネージャ120は、複数のネットワーク動作エンティティによって共有される無線周波数スペクトル帯域の送信間隔(共有スペクトルの送信間隔)のためのUE115の優先権を識別することと、送信間隔のいくつかのCCAスロットの各々における所定の送信タイプの不在を識別することであって、いくつかのCCAスロットの各々は、UE115の識別された優先権よりも高い優先権に関連付けられる、識別することと、UE115の優先権よりも高い優先権に関連付けられた、いくつかのCCAスロットの各々における所定の送信タイプの識別された不在に少なくとも部分的に基づいて、無線周波数スペクトル帯域を介して通信することとを行うのに使われ得る。いくつかの例では、ワイヤレス通信マネージャ120は、図8、図9、または図10を参照して説明するワイヤレス通信マネージャ820、920、または1000の態様を含み得る。
【００３４】
いくつかの例では、ネットワークアクセスデバイス105のうちの1つまたはそれらの組合せはワイヤレス通信マネージャ140を含み得る。ワイヤレス通信マネージャ140は、複数のネットワーク動作エンティティによって共有される無線周波数スペクトル帯域の送信間隔のためのネットワークアクセスデバイス105の優先権を識別することと、送信間隔のいくつかのCCAスロットの各々における所定の送信タイプの不在を識別することであって、いくつかのCCAスロットの各々は、ネットワークアクセスデバイス105の識別された優先権よりも高い優先権に関連付けられる、識別することと、ネットワークアクセスデバイス105の優先権よりも高い優先権に関連付けられた、いくつかのCCAスロットの各々における所定の送信タイプの識別された不在に少なくとも部分的に基づいて、無線周波数スペクトル帯域を介して通信することとを行うのに使われ得る。いくつかの例では、ワイヤレス通信マネージャ140は、図8、図9、または図10を参照して説明するワイヤレス通信マネージャ820、920、または1000の態様を含み得る。
【００３５】
図2は、本開示の様々な態様による、協調リソース区分をサポートするワイヤレス通信システム200の例を示す。ワイヤレス通信システム200は、図1を参照して説明した対応するデバイスの例であってよい、第1のネットワークアクセスデバイス105-d、第2のネットワークアクセスデバイス105-e、第1のUE115-a、および第2のUE115-bを含んでよい。第1のネットワークアクセスデバイス105-dおよび第2のネットワークアクセスデバイス105-eは、それらのそれぞれのカバレージエリア220および225内のUE115または他のワイヤレスデバイスと通信することができる。いくつかの例では、ワイヤレス通信システム200は、複数のネットワーク動作エンティティ(たとえば、ネットワークオペレータ)によって動作されてよく、異なるネットワーク動作エンティティがワイヤレススペクトル(たとえば、無線周波数スペクトル帯域を含む共有スペクトル)を共有し得る。本開示の態様によると、ネットワーク動作エンティティの間で共有されるリソース(たとえば、時間)は、区分され、協調通信を容易にするようにネットワーク動作エンティティの間で割り振られ得る。
【００３６】
第1のネットワークアクセスデバイス105-dは、1つまたは複数のネットワーク動作エンティティによって動作され得る。たとえば、第1のネットワークアクセスデバイス105-dは、第1のネットワーク動作エンティティによって動作されてよく、第1の通信リンク205を介して第1のUE115-aと通信することができ、第1のネットワークアクセスデバイス105-dは、第2のネットワーク動作エンティティによって動作されてよく、第2の通信リンク210を介して第2のUE115-bと通信することができる。以下でより詳しく説明するように、UE115-aとUE115-bとの間の通信の、第1のネットワークアクセスデバイス105-dにおける協調は、第1および第2のネットワークオペレータの間の、区分され、割り振られたタイムスケールに基づき得る。
【００３７】
第2のネットワークアクセスデバイス105-eも、1つまたは複数のネットワーク動作エンティティによって動作され得る。いくつかの例では、第2のネットワークアクセスデバイス105-eは、第3の通信リンク215を介して第2のUE115-bと通信するように、第3のネットワーク動作エンティティによって動作され得る。この例では、第2のUE115-bは、第2および第3のネットワーク動作エンティティの両方とともに動作するように構成されてよい。第2のUE115-bにおける、第1のネットワークアクセスデバイス105-dと第2のネットワークアクセスデバイス105-eとの間の通信の協調は、第2および第3のネットワークオペレータの間の、区分され、割り振られたタイムスケールに基づき得る。
【００３８】
ワイヤレス通信システム200によって使われる共有スペクトルは、複数のネットワーク動作エンティティの間の協調リソース区分方式を利用することによって効率的に使われ得る。たとえば、共有スペクトルは、時間リソースを間隔(たとえば、送信間隔)に分類すること、および間隔を異なるネットワーク動作エンティティに割り当てることによって区分され得る。いくつかの例では、いくつかの時間間隔が、特定のネットワーク動作エンティティによる排他的使用に割り振られてよい。他の時間間隔は、特定のネットワーク動作エンティティによる優先使用に割り振られ得るが、他のネットワーク動作エンティティによる機会主義的使用のためでもあり得る。さらに他の例では、いくつかの時間間隔が、すべてのネットワーク動作エンティティによる機会主義的使用のために指定されてよい。
【００３９】
ワイヤレス通信システム200へのアクセス、リソースの区分および割振り、ならびに/またはネットワーク動作エンティティの同期は、中央コーディネータ(たとえば、スペクトルアクセスシステム(SAS))によって制御され得る。いくつかの例では、リソースの区分および分類は、ネットワーク動作エンティティの数に基づいて自律的に判断され得る。ネットワーク動作エンティティの間の同期は、集中シグナリングを通して明示的に起こり得る。追加または代替として、エンティティは、異なるネットワーク動作エンティティからのワイヤレスノード(たとえば、ネットワークアクセスデバイス105)が互いをリッスンし、それに従ってタイミング同期を判断する「ネットワークリスニング」に基づく自己同期方式を利用することができる。
【００４０】
図3は、本開示の様々な態様による、協調リソース区分のためのタイミング図300の例を示す。タイミング図300は、スーパーフレーム305を含み、このフレームは、固定持続時間(たとえば、20ミリ秒(ms))を表し得る。スーパーフレーム305は、所与の通信セッション向けに繰り返されてよく、図1または図2を参照して説明したワイヤレス通信システム100または200などのワイヤレスシステムによって使われ得る。スーパーフレーム305は、獲得間隔(A-INT)310および調停間隔315などの間隔に分割され得る。以下でより詳しく説明するように、A-INT310および調停間隔315は、サブ間隔に下位分割され、いくつかのリソースタイプ用に指定され、異なるネットワーク動作エンティティの間の協調通信を容易にするように、異なるネットワーク動作エンティティに割り振られ得る。たとえば、調停間隔315は複数のサブ間隔320に分割され得る。また、スーパーフレーム305は、固定持続時間(たとえば、1ms)をもつ複数のサブフレーム325にさらに分割され得る。タイミング図300は、3つの異なるネットワーク動作エンティティ(たとえば、オペレータA、オペレータB、オペレータC)を示すが、協調通信のためにスーパーフレーム305を使うネットワーク動作エンティティの数は、タイミング図300に示す数よりも大きいか、または少なくてよい。
【００４１】
A-INT310は、ネットワーク動作エンティティによる排他通信用に予約される、スーパーフレーム305の専用間隔であり得る。いくつかの例では、各ネットワーク動作エンティティは、排他通信用に、A-INT310内のいくつかのリソースを割り振られ得る。たとえば、リソース330-aはオペレータAによる排他通信用に予約されてよく、リソース330-bはオペレータBによる排他通信用に予約されてよく、リソース330-cはオペレータCによる排他通信用に予約されてよい。リソース330-aはオペレータAによる排他通信用に予約されているので、オペレータAがそれらのリソース中に通信しないことを選んだとしても、オペレータBもオペレータCも、リソース330-a中に通信することはできない。つまり、排他リソースへのアクセスは、指定されたネットワークオペレータに限定される。同様の制約が、オペレータB用のリソース330-bおよびオペレータC用のリソース330-cに当てはまる。オペレータAのワイヤレスノード(たとえば、UE115またはネットワークアクセスデバイス105)は、制御情報またはデータなど、それらの排他リソース330-a中に所望される、いかなる情報も通信することができる。
【００４２】
排他リソースを介して通信するとき、ネットワーク動作エンティティはリソースが予約されていることを知っているので、ネットワーク動作エンティティは、どの媒体検知手順(たとえば、リッスンビフォアトーク(LBT)またはクリアチャネル評価(CCA))も実施する必要はない。指定されたネットワーク動作エンティティのみが排他リソースを介して通信し得るので、媒体検知技法のみに依拠するのと比較して、干渉通信の見込みが低下し得る(たとえば、隠れノード問題なし)。いくつかの例では、A-INT310は、同期信号(たとえば、SYNC信号)、システム情報(たとえば、システム情報ブロック(SIB))、ページング情報(たとえば、物理ブロードキャストチャネル(PBCH)メッセージ)、またはランダムアクセス情報(たとえば、ランダムアクセスチャネル(RACH)信号)などの制御情報を送信するのに使われる。いくつかの例では、ネットワーク動作エンティティに関連付けられたワイヤレスノードはすべて、それらの排他リソース中に同じときに送信する場合がある。
【００４３】
いくつかの例では、リソースは、いくつかのネットワーク動作エンティティ用に優先であると分類され得る。特定のネットワーク動作エンティティ向けの優先権を割り当てられるリソースは、そのネットワーク動作エンティティ用の保証間隔(G-INT)と呼ばれ得る。G-INT中にネットワーク動作エンティティによって使われるリソースの間隔は、優先サブ間隔と呼ばれ得る。たとえば、リソース335-aは、オペレータAによる使用のために優先されてよく、したがって、オペレータA用のG-INTと呼ばれ得る(たとえば、G-INT-OpA)。同様に、リソース335-bはオペレータB向けに優先されてよく、リソース335-cはオペレータC向けに優先されてよく、リソース335-dはオペレータA向けに優先されてよく、リソース335-eはオペレータB向けに優先されてよく、リソース335-fはオペレータC向けに優先されてよい。
【００４４】
図3に示す様々なG-INTリソースは、それらのそれぞれのネットワーク動作エンティティとの関連付けを示すために、ずれているように見えるが、これらのリソースはすべて、同じ周波数帯域幅上にあってよい。したがって、時間周波数グリッドに沿って見た場合、G-INTリソースは、スーパーフレーム305内の連続する線として見える場合がある。このデータの区分は、時分割多重化(TDM)の例であり得る。また、リソースが同じサブ間隔中に見える場合(たとえば、リソース340-aおよびリソース335-b)、これらのリソースは、スーパーフレーム305に対して同じ時間リソースを表す(たとえば、リソースが、同じサブ間隔320を占有する)が、リソースは、その時間リソースが、異なるオペレータ用に異なって分類され得ることを示すように別個に指定される。
【００４５】
リソースが、特定のネットワーク動作エンティティ向けの優先権(たとえば、G-INT)を割り当てられると、そのネットワーク動作エンティティは、どの媒体検知手順(たとえば、LBTまたはCCA)を待つ必要も、または実施する必要もなく、それらのリソースを使って通信することができる。たとえば、オペレータAのワイヤレスノードは、オペレータBまたはオペレータCのワイヤレスノードからの干渉なしで、リソース335-a中に、どのデータまたは制御情報も自由に通信する。
【００４６】
ネットワーク動作エンティティはさらに、特定のG-INTを使う意図があることを、別のオペレータにシグナリングすることができる。たとえば、リソース335-aに関して、オペレータAは、リソース335-aを使う意図があることを、オペレータBおよびオペレータCにシグナリングし得る。そのようなシグナリングは、アクティビティ指示と呼ばれ得る。その上、オペレータAはリソース335-aに対する優先権を有するので、オペレータAは、オペレータBとオペレータCの両方よりも優先権の高いオペレータと見なされ得る。ただし、上述したように、リソース335-aはオペレータAへの優先権を割り当てられるので、オペレータAは、リソース335-a中に干渉のない送信を確実にするために媒体検知手順(たとえば、LBTまたはCCA)を実施する必要がない。
【００４７】
同様に、ネットワーク動作エンティティは、特定のG-INTを使わない意図であることを、別のネットワーク動作エンティティにシグナリングすることができる。このシグナリングも、アクティビティ指示と呼ばれ得る。たとえば、リソース335-bに関して、オペレータBは、リソース335-bが、オペレータAおよびオペレータCと比較してオペレータBへのより高い優先権を割り当てられているとしても、それらのリソースを通信に使わない意図であることを、オペレータAおよびオペレータCにシグナリングし得る。リソース335-bに関して、オペレータBは、オペレータAおよびオペレータCよりも高い優先権のネットワーク動作エンティティと見なされ得る。そのようなケースでは、オペレータAおよびCは、サブ間隔320のリソースを機会主義的に使うことを試みる場合がある。したがって、オペレータAの視点からは、リソース335-bを含むサブ間隔320は、オペレータA用の機会主義的間隔(O-INT)(たとえば、O-INT-OpA)と見なされ得る。例示目的で、リソース340-aは、オペレータA用のO-INTを表し得る。また、オペレータCの視点からは、同じサブ間隔320が、対応するリソース340-bをもつオペレータC用のO-INTを表し得る。リソース340-a、335-b、および340-bはすべて、同じ時間リソース(たとえば、特定のサブ間隔320)を表すが、同じリソースが、いくつかのネットワーク動作エンティティ用のG-INTと、およびさらに他のエンティティ用のO-INTと見なされ得ることを意味するように、別個に識別される。
【００４８】
リソースを機会主義的に利用するために、オペレータAおよびオペレータCは、データを送信する前に、特定のチャネル上での通信を検査するための媒体検知手順を実施してよい。たとえば、オペレータBが、リソース335-b(たとえば、G-INT-OpB)を使わないと決定した場合、オペレータAは、それらの同じリソース(たとえば、リソース340-aによって表される)を、最初に干渉についてチャネルを調べること(たとえば、LBT)、次いで、チャネルがクリアであると判断された場合はデータを送信することによって、使うことができる。同様に、オペレータCが、オペレータBがそのG-INTを使う予定がないという指示に応答して、サブ間隔320中にリソースに機会主義的にアクセスしたい(たとえば、リソース340-bによって表されるO-INTを使いたい)場合、オペレータCは、媒体検知手順を実施し、利用可能な場合はリソースにアクセスしてよい。いくつかのケースでは、2つのオペレータ(たとえば、オペレータAおよびオペレータC)が、同じリソースにアクセスすることを試みる場合があり、その場合、オペレータは、干渉通信を避けるために、競合に基づく手順を利用すればよい。オペレータは、複数のオペレータが一斉にアクセスを試みている場合にどのオペレータがリソースへのアクセスを得ることができるかを判断するように設計されたサブ優先権を割り当てられる場合もある。たとえば、特定のG-INT-OpB中、オペレータAは、オペレータCよりも高い優先権を有し得る。オペレータAおよびオペレータCが両方とも、G-INT-OpBが利用可能であることを検出すると、より高い優先権を有するオペレータAが、G-INT-OpBを使うことを許され得る。一方、オペレータCは、オペレータAとオペレータBの両方からアクティビティを検出しなかったときにG-INT-OpBを使うことしかできない。G-INT-OpB中の、オペレータAとオペレータCとの間のサブ優先権は、オペレータAとオペレータCとの間の起こり得る衝突を効果的に避けることができる。
【００４９】
いくつかの例では、ネットワーク動作エンティティは、それに割り当てられた特定のG-INTを使わない意図である場合があるが、リソースを使わないという意図を伝えるアクティビティ指示を送出しない場合がある。そのようなケースでは、特定のサブ間隔320の間、より低い優先権の動作エンティティは、より高い優先権の動作エンティティがリソースを使っているかどうかを判断するために、チャネルを監視するように構成されてよい。より低い優先権の動作エンティティが、LBTまたは同様の方法を通して、より高い優先権の動作エンティティがそのG-INT/O-INTリソースを使う予定がないと判断した場合、より低い優先権の動作エンティティは、上述したように、リソースに機会主義的にアクセスすることを試みてよい。
【００５０】
いくつかの例では、G-INTまたはO-INTへのアクセスには、予約信号(たとえば、送信要求(RTS)/送信可(CTS))が先行する場合があり、1と動作エンティティの総数との間で、コンテンションウィンドウ(CW)がランダムに選ばれてよい。別の例では、各オペレータが媒体を検知し、予約信号を送信するためのCWまたは乱数は、事前に決められてよい。事前決定は、SASサーバにより、またはオペレータの間での協調を通して行うことができる。
【００５１】
いくつかの例では、動作エンティティは、多地点協調(CoMP)通信を利用するか、またはそれらの通信に適合され得る。たとえば、動作エンティティは、必要に応じて、G-INTではCoMPおよび動的時分割複信(TDD)を、およびO-INTでは機会主義的CoMPおよび機会主義的動的TDDを利用することができる。
【００５２】
図3に示す例では、各サブ間隔320は、オペレータA、B、またはCのうちの1つのためのG-INTを含む。ただし、いくつかのケースでは、1つまたは複数のサブ間隔320が、排他的使用のためにも予約されておらず、優先使用のためにも予約されていないリソース(たとえば、非割当てリソース)を含み得る。そのような非割当てリソースは、どのネットワーク動作エンティティ用にもO-INTと見なすことができ、上述したように、機会主義的にアクセスされ得る。
【００５３】
いくつかの例では、各サブフレーム325は、14個のシンボル(たとえば、60kHzトーン間隔用に250μsまたは30kHzトーン間隔用に500μs、など)を含み得る。これらのサブフレーム325は、独立型、すなわち自己充足型間隔C(ITC)であってよく、またはサブフレーム325は、長いITCの一部であってよい。ITCは、ダウンリンク送信で始まり、アップリンク送信で終わる自己充足型送信であり得る。いくつかの実施形態では、ITCは、媒体占有に対して連続して働きかける1つまたは複数のサブフレーム325を含み得る。いくつかのケースでは、250μsの送信機会を仮定すると、A-INT310(たとえば、2msの持続時間をもつ)中に最大で8つのネットワークオペレータが存在し得る。
【００５４】
3つのオペレータが図3に示されているが、より多いか、またはより少ないネットワーク動作エンティティが、上述したように協調して動作するように構成され得ることを理解されたい。いくつかのケースでは、各オペレータ用のスーパーフレーム305内でのG-INT、O-INT、またはA-INTのロケーションは、システム中でアクティブなネットワーク動作エンティティの数に基づいて自律的に判断される。たとえば、ただ1つのネットワーク動作エンティティがある場合、各サブ間隔320は、その単一のネットワーク動作エンティティ用のG-INTによって占有されてよく、またはサブ間隔320は、そのネットワーク動作エンティティ用のG-INTと、O-INTとの間で、他のネットワーク動作エンティティが入ることを許すために交替してよい。2つのネットワーク動作エンティティがある場合、サブ間隔320は、第1のネットワーク動作エンティティ用のG-INTと、第2のネットワーク動作エンティティ用のG-INTとの間で交替し得る。3つのネットワーク動作エンティティがある場合、各ネットワーク動作エンティティ用のG-INTおよびO-INTは、図3に示すように設計されてよい。4つのネットワーク動作エンティティがある場合、最初の4つのサブ間隔320は、4つのネットワーク動作エンティティ用に連続するG-INTを含むことができ、残りの2つのサブ間隔320はO-INTを含むことができる。同様に、5つのネットワーク動作エンティティがある場合、最初の5つのサブ間隔320は、5つのネットワーク動作エンティティ用に連続するG-INTを含むことができ、残りのサブ間隔320はO-INTを含むことができる。6つのネットワーク動作エンティティがある場合、すべての6つのサブ間隔320が、各ネットワーク動作エンティティ用に、連続するG-INTを含み得る。これらの例は例示目的にすぎないこと、および他の自律的に判断された間隔割振りが使われてよいことを理解されたい。
【００５５】
図3を参照して説明する協調フレームワークは、例示目的にすぎないことを理解されたい。たとえば、スーパーフレーム305の持続時間は、20msよりも大きいか、または小さくてよい。また、サブ間隔320およびサブフレーム325の数、持続時間、およびロケーションは、図示される構成とは異なる場合がある。また、リソース指定のタイプ(たとえば、排他、優先、非割当て)は、より多いか、またはより少ない下位指定とは異なるか、またはそれらを含み得る。
【００５６】
いくつかの例では、送信間隔へのアクセスについての競合(たとえば、図3を参照して説明した、G-INTまたはO-INTサブ間隔のうちの1つについての媒体検知)は、保護プリアンブルベースLBT手順を使って解決され得る。保護プリアンブルベースLBT手順は、複数のネットワーク動作エンティティの各々にCCAスロットを提供し得る。CCAスロットは、ワイヤレスデバイスが、CCAスロットが割り振られるネットワーク動作エンティティに関連付けられている場合に、ワイヤレスデバイスがCCAスロット中にプリアンブルを送信することしかできないという点において、保護される。CCAスロットはまた、送信間隔にアクセスするための最も高い優先権を与えられたネットワーク動作エンティティのワイヤレスデバイスが、最も高い優先権CCAスロット中でプリアンブルを送信するための機会を与えられるように、および、送信間隔にアクセスするための最も高い優先権を与えられたネットワーク動作エンティティのワイヤレスデバイスが最も高い優先権CCAスロット中でプリアンブルを送信する場合、(プリアンブル送信を検出する)他のネットワーク動作エンティティのワイヤレスデバイスは、より低い優先権CCAスロット中でプリアンブルを送信することを許されないように、また、各次に高い優先権レベルに対して以下同様になるように、優先される。
【００５７】
図4は、本開示の様々な態様による、無線周波数スペクトル帯域の送信間隔400中の送信シナリオを示す。無線周波数スペクトル帯域は、複数のネットワーク動作エンティティによって共有され得る。いくつかの例では、送信間隔400は、図3を参照して説明したG-INTまたはO-INTサブ間隔のうちの1つであってよい。例として、送信間隔400は、ダウンリンク(DL)中心バーストを含むように示され、バースト中では、ダウンリンク送信405には、はるかに短いアップリンク送信410が続く。代替として、送信間隔400は、純粋にダウンリンクのバースト、アップリンク(UL)中心バースト、またはダウンリンクおよびアップリンク送信の何らかの他の組合せを含んでもよいであろう。
【００５８】
送信間隔400の間、第1のネットワーク動作エンティティのワイヤレスデバイス(たとえば、ネットワークアクセスデバイスまたはUE)は、無線周波数スペクトル帯域を介して通信するための最も高い優先権を有してよく、第2のネットワーク動作エンティティのワイヤレスデバイスは、無線周波数スペクトル帯域を介して通信するための2番目に高い優先権を有してよく、第3のネットワーク動作エンティティのワイヤレスデバイスは、無線周波数スペクトル帯域を介して通信するための3番目に高い優先権を有してよい。他の送信間隔では、ネットワーク動作エンティティのワイヤレスデバイスの相対優先権は、たとえば、図3を参照して説明したように、同じでも異なってもよい。いくつかの例では、異なるネットワーク動作エンティティのワイヤレスデバイスの相対優先権は、ネットワーク動作エンティティのG-INTサブ間隔への、送信間隔(たとえば、送信間隔400)の近接度に依存し得る(たとえば、第3のネットワーク動作エンティティのワイヤレスデバイス用のG-INTに続く第1の機会主義的送信間隔では、第3のネットワーク動作エンティティのワイヤレスデバイスが、送信間隔にアクセスする(またはそれを介して通信する)ための最も低い優先権を有し得る)。概して、各送信間隔におけるネットワーク動作エンティティの優先権は、事前に決められてよい。事前決定は、SASサーバにより、またはネットワーク動作エンティティの間での協調を通して行うことができる。
【００５９】
図4に示すように、第1のネットワーク動作エンティティの1つまたは複数のワイヤレスデバイスは、送信間隔400の間はLBT手順を実施せずに、無線周波数スペクトル帯域を介して通信することができ、というのは、第1のネットワーク動作エンティティのワイヤレスデバイスが、送信間隔400中に無線周波数スペクトル帯域を介して通信するための、他のネットワーク動作エンティティのワイヤレスデバイスに勝る優先権を有するからである。送信間隔400の所定の部分415(たとえば、冒頭部分)の間に、またはそれに先立って、第1のネットワーク動作エンティティのワイヤレスデバイスは、無線周波数スペクトル帯域を介してプリアンブルを送信し得る。プリアンブルは、あらかじめ定義されたフォーマットまたは構造を有し得る。いくつかの例では、プリアンブルは、送信間隔400の持続時間(たとえば、フル持続時間、残りの持続時間、ダウンリンク持続時間、またはアップリンク持続時間)をシグナリングし得る。他の例では、送信間隔400の持続時間は、所定であるか、またはプリアンブルの送信に先立ってシグナリングされ得る。
【００６０】
プリアンブルがそれを介して送信される時間/周波数リソース(すなわち、第1のCCAスロット)は、他のネットワーク動作エンティティのワイヤレスデバイスによる送信から保護され得る。たとえば、プリアンブルがそれを介して送信される時間/周波数リソースの1つの識別子(もしくは複数の識別子)(または第1のCCAスロットの時間/周波数リソースの1つの識別子(もしくは複数の識別子))が、送信間隔400にアクセスする可能性があり得るワイヤレスデバイスを有するすべてのネットワーク動作エンティティと共有されてよく、そうすることによって、送信間隔400中に無線周波数スペクトルを介して通信するための最も高い優先権を有していないワイヤレスデバイスは、送信間隔400中に無線周波数スペクトル帯域にアクセスしない。
【００６１】
第2のネットワーク動作エンティティのワイヤレスデバイスおよび第3のネットワーク動作エンティティのワイヤレスデバイスは、第1のネットワーク動作エンティティのワイヤレスデバイスによって送信されたプリアンブルを検出すると、送信間隔400中に、無線周波数スペクトル帯域を介して通信するのを控えるように構成され得る。
【００６２】
図4は、第1のネットワーク動作エンティティの1つまたは複数のワイヤレスデバイスが、送信間隔400中に、プリアンブルを送信し、無線周波数スペクトル帯域を介して通信するシナリオを示している。第1の動作エンティティのどのワイヤレスデバイスも第1のCCAスロット中にプリアンブルを送信しないシナリオでは、または第2のネットワーク動作エンティティのワイヤレスデバイスが、第1のネットワーク動作エンティティのワイヤレスデバイスによって送信されたプリアンブルを検出しないシナリオでは、第2のネットワーク動作エンティティの1つまたは複数のワイヤレスデバイスは、図5を参照して説明するように、送信間隔400中に無線周波数スペクトル帯域を介して通信することができる。
【００６３】
図5は、本開示の様々な態様による、無線周波数スペクトル帯域の送信間隔500中の送信シナリオを示す。無線周波数スペクトル帯域は、複数のネットワーク動作エンティティによって共有され得る。いくつかの例では、送信間隔500は、図3を参照して説明したG-INTまたはO-INTサブ間隔のうちの1つであってよい。例として、送信間隔500は、DL中心バーストを含むように示され、バースト中では、ダウンリンク送信505には、はるかに短いアップリンク送信510が続く。代替として、送信間隔500は、純粋にダウンリンクのバースト、UL中心バースト、またはダウンリンクおよびアップリンク送信の何らかの他の組合せを含んでもよいであろう。
【００６４】
送信間隔500の間、第1のネットワーク動作エンティティのワイヤレスデバイス(たとえば、ネットワークアクセスデバイスまたはUE)は、無線周波数スペクトル帯域を介して通信するための最も高い優先権を有してよく、第2のネットワーク動作エンティティのワイヤレスデバイスは、無線周波数スペクトル帯域を介して通信するための2番目に高い優先権を有してよく、第3のネットワーク動作エンティティのワイヤレスデバイスは、無線周波数スペクトル帯域を介して通信するための3番目に高い優先権を有してよい。他の送信間隔では、ネットワーク動作エンティティのワイヤレスデバイスの相対優先権は、たとえば、図3を参照して説明したように、同じでも異なってもよい。いくつかの例では、異なるネットワーク動作エンティティのワイヤレスデバイスの相対優先権は、ネットワーク動作エンティティのG-INTサブ間隔への、送信間隔(たとえば、送信間隔500)の近接度に依存し得る(たとえば、第3のネットワーク動作エンティティのワイヤレスデバイス用のG-INTに続く第1の機会主義的送信間隔では、第3のネットワーク動作エンティティのワイヤレスデバイスが、送信間隔にアクセスする(またはそれを介して通信する)ための最も低い優先権を有し得る)。概して、各送信間隔におけるネットワーク動作エンティティの優先権は、事前に決められてよい。事前決定は、SASサーバにより、またはネットワーク動作エンティティの間での協調を通して行うことができる。
【００６５】
図5は、第1のCCAスロット515(たとえば、CCAスロット0)を示している。第1のCCAスロット515は、送信間隔500の冒頭部分において、1つまたは複数の時間/周波数リソースのセットを含み得る。第1のネットワーク動作エンティティの1つまたは複数のワイヤレスデバイスは、送信間隔500が第1のネットワーク動作エンティティのワイヤレスデバイスによる、またはそれらとの通信用に予約されていることを示すために、第1のCCAスロット515のプリアンブル送信部分520(たとえば、Op1)中でプリアンブルを送信することができる。プリアンブルは、あらかじめ定義されたフォーマットまたは構造を有し得る。第1のCCAスロット515の時間/周波数リソースは、他のネットワーク動作エンティティのワイヤレスデバイス(たとえば、第2のネットワーク動作エンティティおよび第3のネットワーク動作エンティティのワイヤレスデバイス)による送信から保護され得る。いくつかの例では、第1のCCAスロット515中にプリアンブルがそれを介して送信される時間/周波数リソースの1つの識別子(もしくは複数の識別子)(または第1のCCAスロット515の時間/周波数リソースの1つの識別子(もしくは複数の識別子))が、送信間隔500にアクセスする可能性があり得るワイヤレスデバイスを有するすべてのネットワーク動作エンティティと共有されてよく、そうすることによって、送信間隔500中に無線周波数スペクトルを介して通信するための最も高い優先権を有していないワイヤレスデバイスは、送信間隔500中に無線周波数スペクトル帯域にアクセスしない。
【００６６】
図5は、第1のネットワーク動作エンティティのどのワイヤレスデバイスも第1のCCAスロット515中にプリアンブルを送信しないと仮定する。いくつかの例では、第2のネットワーク動作エンティティおよび第3のネットワーク動作エンティティのワイヤレスデバイスは、第1のCCAスロット515のプリアンブル送信部分520中に無線周波数スペクトル帯域を監視し、第1のCCAスロット515のプリアンブル送信部分520に続く、第1のCCAスロット515のガード期間(GP)525中に、第1のCCAスロット515におけるプリアンブル送信の不在を識別する(たとえば、第1のCCAスロット515中に、どのプリアンブルも送信されていないと判断する)ことができる。送信間隔500中に無線周波数スペクトル帯域を介して通信することを望むとき、および第1のCCAスロット515中にプリアンブル送信の不在を識別したことに少なくとも部分的に基づいて、第2のネットワーク動作エンティティの1つまたは複数のワイヤレスデバイスは、無線周波数スペクトル帯域を介して通信することができる。送信間隔500の第2のCCAスロット530(たとえば、CCAスロット1)中に、第2のネットワーク動作エンティティのワイヤレスデバイスは、無線周波数スペクトル帯域を介してプリアンブルを送信し得る。第2のネットワーク動作エンティティのワイヤレスデバイスによって送信されるプリアンブルは、あらかじめ定義されたフォーマットまたは構造を有してよく、これらは、第1のネットワーク動作エンティティのワイヤレスデバイスによってプリアンブルを送信するのに使われる、同じあらかじめ定義されたフォーマットまたは構造であってよい。いくつかの例では、プリアンブルは、送信間隔500の持続時間(たとえば、フル持続時間、残りの持続時間、ダウンリンク持続時間、またはアップリンク持続時間)をシグナリングし得る。他の例では、送信間隔500の持続時間は、所定であるか、またはプリアンブルの送信に先立ってシグナリングされ得る。
【００６７】
プリアンブルがそれを介して送信される時間/周波数リソース(すなわち、第2のCCAスロット530)は、他のネットワーク動作エンティティのワイヤレスデバイス(たとえば、第1のネットワーク動作エンティティおよび第3のネットワーク動作エンティティのワイヤレスデバイス)による送信から保護され得る。たとえば、第2のCCAスロット530中にプリアンブルがそれを介して送信される時間/周波数リソースの1つの識別子(もしくは複数の識別子)(または第2のCCAスロット530の時間/周波数リソースの1つの識別子(もしくは複数の識別子))が、送信間隔500にアクセスする可能性があり得るワイヤレスデバイスを有するすべてのネットワーク動作エンティティと共有されてよく、そうすることによって、送信間隔500中に無線周波数スペクトルを介して通信するための2番目に高い優先権を有していないワイヤレスデバイスは、送信間隔500中に無線周波数スペクトル帯域にアクセスしない。
【００６８】
第3のネットワーク動作エンティティのワイヤレスデバイスは、第2のネットワーク動作エンティティのワイヤレスデバイスによって送信されたプリアンブルを検出すると、送信間隔500中に、無線周波数スペクトル帯域を介して通信するのを控えるように構成され得る。第1のネットワーク動作エンティティのワイヤレスデバイスは、ワイヤレスデバイスが第1のCCAスロット515中に無線周波数スペクトル帯域を介してプリアンブルを送信しなかったので、および/または第2のCCAスロット530中に第2のネットワーク動作エンティティのワイヤレスデバイスによって送信されたプリアンブルを検出すると、送信間隔500中に無線周波数スペクトル帯域を介して通信するのを控え得る。
【００６９】
図5は、第1のネットワーク動作エンティティのどのワイヤレスデバイスも、送信間隔500中に無線周波数スペクトル帯域を介してプリアンブルを送信しないが、第2のネットワーク動作エンティティの1つまたは複数のワイヤレスデバイスは、送信間隔500中に、プリアンブルを送信し、無線周波数スペクトル帯域を介して通信するシナリオを示している。第1のネットワーク動作エンティティのどのワイヤレスデバイスも、および第2のネットワーク動作エンティティのどのワイヤレスデバイスも、第1のCCAスロット515もしくは第2のCCAスロット530中にプリアンブルを送信しないシナリオでは、または第3のネットワーク動作エンティティのワイヤレスデバイスが、第1のネットワーク動作エンティティもしくは第2のネットワーク動作エンティティのワイヤレスデバイスによって送信されたプリアンブルを検出しないシナリオでは、第3のネットワーク動作エンティティの1つまたは複数のワイヤレスデバイスは、図6を参照して説明するように、送信間隔500中に無線周波数スペクトル帯域を介して通信することができる。いくつかの例では、ネットワーク動作エンティティは、各より高い優先権のネットワーク動作エンティティに対応するCCAスロット中での、より高い優先権をもつどのネットワーク動作エンティティからのいかなる送信も検出しなかったとき、それ自体のCCAスロット中でプリアンブルまたは予約信号の送信を開始してよく、その後にそのデータ送信が続く。ネットワーク動作エンティティは、より低い優先権のネットワーク動作エンティティのCCAスロットを空にしてよく、またはそれ自体のCCAスロットの直後にデータ送信を開始し得る。
【００７０】
図6は、本開示の様々な態様による、無線周波数スペクトル帯域の送信間隔600中の送信シナリオを示す。無線周波数スペクトル帯域は、複数のネットワーク動作エンティティによって共有され得る。いくつかの例では、送信間隔600は、図3を参照して説明したG-INTまたはO-INTサブ間隔のうちの1つであってよい。例として、送信間隔600は、DL中心バーストを含むように示され、バースト中では、ダウンリンク送信605には、はるかに短いアップリンク送信610が続く。代替として、送信間隔600は、純粋にダウンリンクのバースト、UL中心バースト、またはダウンリンクおよびアップリンク送信の何らかの他の組合せを含んでもよいであろう。
【００７１】
送信間隔600の間、第1のネットワーク動作エンティティのワイヤレスデバイス(たとえば、ネットワークアクセスデバイスまたはUE)は、無線周波数スペクトル帯域を介して通信するための最も高い優先権を有してよく、第2のネットワーク動作エンティティのワイヤレスデバイスは、無線周波数スペクトル帯域を介して通信するための2番目に高い優先権を有してよく、第3のネットワーク動作エンティティのワイヤレスデバイスは、無線周波数スペクトル帯域を介して通信するための3番目に高い優先権を有してよい。他の送信間隔では、ネットワーク動作エンティティのワイヤレスデバイスの相対優先権は、たとえば、図3を参照して説明したように、同じでも異なってもよい。いくつかの例では、異なるネットワーク動作エンティティのワイヤレスデバイスの相対優先権は、ネットワーク動作エンティティのG-INTサブ間隔への、送信間隔(たとえば、送信間隔600)の近接度に依存し得る(たとえば、第3のネットワーク動作エンティティのワイヤレスデバイス用のG-INTに続く第1の機会主義的送信間隔では、第3のネットワーク動作エンティティのワイヤレスデバイスが、送信間隔にアクセスする(またはそれを介して通信する)ための最も低い優先権を有し得る)。概して、各送信間隔におけるネットワーク動作エンティティの優先権は、事前に決められてよい。事前決定は、SASサーバにより、またはネットワーク動作エンティティの間での協調を通して行うことができる。
【００７２】
図6は、第1のCCAスロット615(たとえば、CCAスロット0)を示している。第1のCCAスロット615は、送信間隔600の冒頭部分において、1つまたは複数の時間/周波数リソースのセットを含み得る。第1のネットワーク動作エンティティの1つまたは複数のワイヤレスデバイスは、送信間隔600が第1のネットワーク動作エンティティのワイヤレスデバイスによる、またはそれらとの通信用に予約されていることを示すために、第1のCCAスロット615のプリアンブル送信部分620(たとえば、Op1)中でプリアンブルを送信することができる。プリアンブルは、あらかじめ定義されたフォーマットまたは構造を有し得る。第1のCCAスロット615の時間/周波数リソースは、他のネットワーク動作エンティティのワイヤレスデバイス(たとえば、第2のネットワーク動作エンティティおよび第3のネットワーク動作エンティティのワイヤレスデバイス)による送信から保護され得る。いくつかの例では、第1のCCAスロット615中にプリアンブルがそれを介して送信される時間/周波数リソースの1つの識別子(もしくは複数の識別子)(または第1のCCAスロット615の時間/周波数リソースの1つの識別子(もしくは複数の識別子))が、送信間隔600にアクセスする可能性があり得るワイヤレスデバイスを有するすべてのネットワーク動作エンティティと共有されてよく、そうすることによって、送信間隔600中に無線周波数スペクトルを介して通信するための最も高い優先権を有していないワイヤレスデバイスは、送信間隔600中に無線周波数スペクトル帯域にアクセスしない。
【００７３】
図6は、第1のネットワーク動作エンティティのどのワイヤレスデバイスも第1のCCAスロット615中にプリアンブルを送信しないと仮定する。いくつかの例では、第2のネットワーク動作エンティティおよび第3のネットワーク動作エンティティのワイヤレスデバイスは、第1のCCAスロット615のプリアンブル送信部分620中に無線周波数スペクトル帯域を監視し、第1のCCAスロット615のプリアンブル送信部分620に続く、第1のCCAスロット615のガード期間(GP)625中に、第1のCCAスロット615におけるプリアンブル送信の不在を識別する(たとえば、第1のCCAスロット615中に、どのプリアンブルも送信されていないと判断する)ことができる。第1のCCAスロット615中にプリアンブル送信の不在を識別したことに少なくとも部分的に基づいて、第2のネットワーク動作エンティティの1つまたは複数のワイヤレスデバイスは、無線周波数スペクトル帯域を介して通信することができる。送信間隔600中に無線周波数スペクトル帯域を介して通信することを望むとき、および第1のネットワーク動作エンティティのどのワイヤレスデバイスも、第1のCCAスロット615中にプリアンブルを送信しなかったと判断したことに少なくとも部分的に基づいて、第2のネットワーク動作エンティティの1つまたは複数のワイヤレスデバイスは、送信間隔600が、第1のネットワーク動作エンティティのワイヤレスデバイスによる、またはそれらとの通信のために予約されていることを示すために、送信間隔600の第2のCCAスロット630(たとえば、CCAスロット1)のプリアンブル送信部分635(たとえば、Op2)中で無線周波数スペクトル帯域を介してプリアンブルを送信してよい。いくつかの例では、第2のCCAスロット630は、第1のCCAスロット615の時間/周波数リソースよりも後の時間期間に関連付けられた1つまたは複数の時間/周波数リソースのセットを含み得る。第2のネットワーク動作エンティティのワイヤレスデバイスによって送信されるプリアンブルは、あらかじめ定義されたフォーマットまたは構造を有してよく、これらは、第1のネットワーク動作エンティティのワイヤレスデバイスによってプリアンブルを送信するのに使われる、同じあらかじめ定義されたフォーマットまたは構造であってよい。
【００７４】
第2のCCAスロット630の時間/周波数リソースは、他のネットワーク動作エンティティのワイヤレスデバイス(たとえば、第1のネットワーク動作エンティティおよび第3のネットワーク動作エンティティのワイヤレスデバイス)による送信から保護され得る。いくつかの例では、第2のCCAスロット630中にそれを介してプリアンブルが送信される時間/周波数リソースの1つの識別子(もしくは複数の識別子)(または第2のCCAスロット630の時間/周波数リソースの1つの識別子(もしくは複数の識別子))が、送信間隔600にアクセスする可能性があり得るワイヤレスデバイスを有するすべてのネットワーク動作エンティティと共有されてよく、そうすることによって、送信間隔600中に無線周波数スペクトルを介して通信するための2番目に高い優先権を有していないワイヤレスデバイスは、送信間隔600中に無線周波数スペクトル帯域にアクセスしない。
【００７５】
図6は、第2のネットワーク動作エンティティのどのワイヤレスデバイスも第2のCCAスロット630中にプリアンブルを送信しないと仮定する。いくつかの例では、第3のネットワーク動作エンティティのワイヤレスデバイスは、第2のCCAスロット630のプリアンブル送信部分635中に無線周波数スペクトル帯域を監視し、第2のCCAスロット630のプリアンブル送信部分635に続く、第2のCCAスロット630のガード期間(GP)640中に、第2のCCAスロット630におけるプリアンブル送信の不在を識別する(たとえば、第2のCCAスロット630中に、どのプリアンブルも送信されていないと判断する)ことができる。送信間隔600中に無線周波数スペクトル帯域を介して通信することを望むとき、ならびに第1のCCAスロット615および第2のCCAスロット630の各々の中にプリアンブル送信の不在を識別したことに少なくとも部分的に基づいて、第3のネットワーク動作エンティティの1つまたは複数のワイヤレスデバイスは、無線周波数スペクトル帯域を介して通信することができる。送信間隔600の第3のCCAスロット645(たとえば、CCAスロット2)中に、第3のネットワーク動作エンティティの1つまたは複数のワイヤレスデバイスは、無線周波数スペクトル帯域を介してプリアンブルを送信し得る。代替として、第3のネットワーク動作エンティティのワイヤレスデバイスは、プリアンブルを送信しない場合がある(たとえば、第3のネットワーク動作エンティティのワイヤレスデバイスは、第3のネットワーク動作エンティティのワイヤレスデバイスが、送信間隔600にアクセスするための最も低い優先権を有し、どの他のワイヤレスデバイスも、第3のネットワーク動作エンティティのワイヤレスデバイスに従って、送信間隔600の間、無線周波数スペクトル帯域にアクセスすることを試みる可能性はないことが知られているとき、プリアンブルを送信しなくてよい)。送信されると、第3のネットワーク動作エンティティのワイヤレスデバイスによって送信されるプリアンブルは、あらかじめ定義されたフォーマットまたは構造を有してよく、これらは、第1のネットワーク動作エンティティのワイヤレスデバイスまたは第2のネットワーク動作エンティティのワイヤレスデバイスによってプリアンブルを送信するのに使われる、同じあらかじめ定義されたフォーマットまたは構造であってよい。いくつかの例では、第3のCCAスロット645は、第2のCCAスロット630の時間/周波数リソースよりも後の時間期間に関連付けられた1つまたは複数の時間/周波数リソースのセットを含み得る。いくつかの例では、プリアンブルは、送信間隔600の持続時間(たとえば、フル持続時間、残りの持続時間、ダウンリンク持続時間、またはアップリンク持続時間)をシグナリングし得る。他の例では、送信間隔600の持続時間は、所定であるか、またはプリアンブルの送信に先立ってシグナリングされ得る。
【００７６】
プリアンブルがそれを介して送信される時間/周波数リソース(すなわち、第3のCCAスロット645)は、他のネットワーク動作エンティティのワイヤレスデバイス(たとえば、第1のネットワーク動作エンティティおよび第2のネットワーク動作エンティティのワイヤレスデバイス)による送信から保護され得る。たとえば、第3のCCAスロット645中にプリアンブルがそれを介して送信される時間/周波数リソースの1つの識別子(もしくは複数の識別子)(または第3のCCAスロット645の時間/周波数リソースの1つの識別子(もしくは複数の識別子))が、送信間隔600にアクセスする可能性があり得るワイヤレスデバイスを有するすべてのネットワーク動作エンティティと共有されてよく、そうすることによって、送信間隔600中に無線周波数スペクトルを介して通信するための3番目に高い優先権を有していないワイヤレスデバイスは、送信間隔600中に無線周波数スペクトル帯域にアクセスしない。
【００７７】
第1のネットワーク動作エンティティのワイヤレスデバイスおよび第2のネットワーク動作エンティティのワイヤレスデバイスは、ワイヤレスデバイスが第1のCCAスロット615もしくは第2のCCAスロット630中に無線周波数スペクトル帯域を介してプリアンブルを送信しなかったので、および/または第3のCCAスロット645中に第3のネットワーク動作エンティティのワイヤレスデバイスによって送信されたプリアンブルを検出すると、送信間隔600中に無線周波数スペクトル帯域を介して通信するのを控え得る。この場合、第1のネットワーク動作エンティティまたは第2のネットワーク動作エンティティは、送信間隔600中に送信するべきデータ到着を有する場合、後続送信間隔まで待ち、後続送信間隔中のそれ自体の優先権に依存して媒体アクセスを実施する(それに従って、送信するか、または送信しない)。
【００７８】
いくつかの例では、送信間隔へのアクセスについての競合(たとえば、図3を参照して説明した、G-INTまたはO-INTサブ間隔のうちの1つについての媒体検知)は、保護RTS/CTSベースLBT手順を使って解決され得る。保護RTS/CTSベースLBT手順は、複数のネットワーク動作エンティティの各々にCCAスロットを提供し得る。CCAスロットは、ワイヤレスデバイスが、CCAスロットが割り振られるネットワーク動作エンティティに関連付けられている場合に、ワイヤレスデバイスがCCAスロット中にRTSメッセージまたはCTSメッセージを送信することしかできないという点において、保護される。CCAスロットはまた、送信間隔にアクセスするための最も高い優先権を与えられたネットワーク動作エンティティのワイヤレスデバイスが、最も高い優先権CCAスロット中でRTSメッセージを送信するための機会を与えられるように、および、送信間隔にアクセスするための最も高い優先権を与えられたネットワーク動作エンティティのワイヤレスデバイスが、最も高い優先権CCAスロット中でRTSメッセージを送信する場合、(RTSメッセージまたは対応するCTSメッセージを検出する)他のネットワーク動作エンティティのワイヤレスデバイスは、より低い優先権のCCAスロット中でプリアンブルを送信することを許されないように、また、各次に高い優先権レベルに対して以下同様になるように、優先される。したがって、より低い優先権に関連付けられたネットワーク動作エンティティのワイヤレスデバイスが、より高い優先権CCAスロット中で、より高い優先権のワイヤレスデバイスのプリアンブルを検出すると、ある送信間隔だけ無線周波数スペクトル帯域にアクセスすることを試みない保護プリアンブルベースLBT手順と比較して、保護RTS/CTSベースLBT手順に従って動作するワイヤレスデバイスは、より高い優先権のCCAスロット中で、より高い優先権のワイヤレスデバイスのRTSメッセージまたはCTSメッセージのいずれかを検出すると、ある送信間隔だけ、無線周波数スペクトル帯域にアクセスすることを試みない。いくつかの例では、保護RTS/CTSベースLBT手順は、ネットワークアクセスデバイスとUEの両方からのRTSおよびCTS送信を伴う(したがって、ネットワークアクセスデバイスからネットワークアクセスデバイスへの検出と、UEからネットワークアクセスデバイスへの検出の両方)ので、(たとえば、ノードが、送信ノードではなく受信ノードの範囲内にあるが、それにも関わらず、受信ノードへの送信によって影響を受けるとき)隠れノードシナリオに関与するワイヤレスデバイスの間のより良好な協調を提供することができ、保護プリアンブルベースLBT手順は、他のネットワーク動作エンティティのネットワークアクセスデバイスのプリアンブル送信を検出すること(すなわち、ネットワークアクセスデバイスからネットワークアクセスデバイスへの検出のみ)が可能であるネットワーク動作エンティティからのネットワークアクセスデバイスに依拠する。
【００７９】
図7は、本開示の様々な態様による、無線周波数スペクトル帯域の送信間隔700中の送信シナリオを示す。無線周波数スペクトル帯域は、複数のネットワーク動作エンティティによって共有され得る。いくつかの例では、送信間隔700は、図3を参照して説明したG-INTまたはO-INTサブ間隔のうちの1つであってよい。例として、送信間隔700は、DL中心バーストを含むように示され、バースト中では、ダウンリンク送信705には、はるかに短いアップリンク送信710が続く。代替として、送信間隔700は、純粋にダウンリンクのバースト、UL中心バースト、またはダウンリンクおよびアップリンク送信の何らかの他の組合せを含んでもよいであろう。
【００８０】
送信間隔700の間、第1のネットワーク動作エンティティのワイヤレスデバイス(たとえば、ネットワークアクセスデバイスまたはUE)は、無線周波数スペクトル帯域を介して通信するための最も高い優先権を有してよく、第2のネットワーク動作エンティティのワイヤレスデバイスは、無線周波数スペクトル帯域を介して通信するための2番目に高い優先権を有してよく、第3のネットワーク動作エンティティのワイヤレスデバイスは、無線周波数スペクトル帯域を介して通信するための3番目に高い優先権を有してよい。他の送信間隔では、ネットワーク動作エンティティのワイヤレスデバイスの相対優先権は、たとえば、図3を参照して説明したように、同じでも異なってもよい。いくつかの例では、異なるネットワーク動作エンティティのワイヤレスデバイスの相対優先権は、ネットワーク動作エンティティのG-INTサブ間隔への、送信間隔(たとえば、送信間隔700)の近接度に依存し得る(たとえば、第3のネットワーク動作エンティティのワイヤレスデバイス用のG-INTに続く第1の機会主義的送信間隔では、第3のネットワーク動作エンティティのワイヤレスデバイスが、送信間隔にアクセスする(またはそれを介して通信する)ための最も低い優先権を有し得る)。概して、各送信間隔におけるネットワーク動作エンティティの優先権は、事前に決められてよい。事前決定は、SASサーバにより、またはネットワーク動作エンティティの間での協調を通して行うことができる。
【００８１】
図7は、第1のCCAスロット715(たとえば、CCAスロット0)を示している。第1のCCAスロット715は、送信間隔700の冒頭部分において、1つまたは複数の時間/周波数リソースのセットを含み得る。第1のネットワーク動作エンティティの1つまたは複数のワイヤレスデバイスは、送信間隔700が第1のネットワーク動作エンティティのワイヤレスデバイスによる、またはそれらとの通信用に予約されていることを示すために、第1のCCAスロット715のRTS送信機会720(たとえば、RTS Op1)中にRTSメッセージ(または他の形の予約信号)を送信することができる。RTSメッセージは、あらかじめ定義されたフォーマットまたは構造を有するダウンリンクプリアンブルと、1つもしくは複数のUE識別子(ID)および/またはUEのグループの識別子を含むペイロードとを含み得る。
【００８２】
RTSメッセージを受信したことに応答して、RTSメッセージの中で識別されたUEは、第1のCCAスロット715のCTS送信機会725(たとえば、CTS Op1)中にCTSメッセージを送信してよい。CTSメッセージは、あらかじめ定義されたフォーマットまたは構造を有するアップリンクプリアンブルを含んでよく、任意選択でペイロードを含んでよい。RTSメッセージおよびCTSメッセージ中に含まれるプリアンブルは、同じ波形を含んでよく、すべての送信ノードによって単一周波数ネットワーク(SFN)方式で送信され得る。RTSメッセージおよびCTSメッセージのペイロードは、非SFN方式で送信されてよく、適切なネットワーク動作エンティティ(たとえば、第1のネットワーク動作エンティティ)のデバイスによってのみ聞かれることを意図される場合がある。
【００８３】
第1のCCAスロット715の時間/周波数リソースは、他のネットワーク動作エンティティのワイヤレスデバイス(たとえば、第2のネットワーク動作エンティティおよび第3のネットワーク動作エンティティのワイヤレスデバイス)による送信から保護され得る。いくつかの例では、第1のCCAスロット715中にプリアンブルがそれを介して送信される時間/周波数リソースの1つの識別子(もしくは複数の識別子)(または第1のCCAスロット715の時間/周波数リソースの1つの識別子(もしくは複数の識別子))が、送信間隔700にアクセスする可能性があり得るワイヤレスデバイスを有するすべてのネットワーク動作エンティティと共有されてよく、そうすることによって、送信間隔700中に無線周波数スペクトルを介して通信するための最も高い優先権を有していないワイヤレスデバイスは、送信間隔700中に無線周波数スペクトル帯域にアクセスしない。
【００８４】
図7は、第1のネットワーク動作エンティティのどのワイヤレスデバイスも第1のCCAスロット715中にRTSメッセージを送信しないと仮定する。いくつかの例では、第2のネットワーク動作エンティティおよび第3のネットワーク動作エンティティのワイヤレスデバイスは、第1のCCAスロット715中に無線周波数スペクトル帯域を監視することができ、第1のCCAスロット715中に(または第1のCCAスロット715に続くガード期間(図示せず)中に)、第1のCCAスロット715におけるRTSメッセージまたはCTSメッセージの不在を識別し(たとえば、どのRTSメッセージまたはCTSメッセージも第1のCCAスロット715中に送信されなかったと判断し)得る。および第1のCCAスロット715中にRTSメッセージまたはCTSメッセージの不在を識別したことに少なくとも部分的に基づいて、第2のネットワーク動作エンティティの1つまたは複数のワイヤレスデバイスは、無線周波数スペクトル帯域を介して通信することができる。送信間隔700中に無線周波数スペクトル帯域を介して通信することを望むとき、および第1のネットワーク動作エンティティのどのワイヤレスデバイスも、第1のCCAスロット715中にプリアンブルを送信しなかったと判断したことに少なくとも部分的に基づいて、第2のネットワーク動作エンティティの1つまたは複数のワイヤレスデバイスは、送信間隔700が、第1のネットワーク動作エンティティのワイヤレスデバイスによる、またはそれらとの通信のために予約されていることを示すために、送信間隔700の第2のCCAスロット730(たとえば、CCAスロット1)のRTS送信機会735(たとえば、RTS Op2)中に無線周波数スペクトル帯域を介してRTSメッセージを送信してよい。RTSメッセージを送信するワイヤレスデバイスは、第2のCCAスロット730のCTS送信機会740(たとえば、CTS Op2)中に、無線周波数スペクトル帯域を介してCTSメッセージも受信し得る。いくつかの例では、第2のCCAスロット730は、第1のCCAスロット715の時間/周波数リソースよりも後の時間期間に関連付けられた1つまたは複数の時間/周波数リソースのセットを含み得る。第2のネットワーク動作エンティティのワイヤレスデバイスによって送信されるRTSメッセージは、第1のネットワーク動作エンティティのワイヤレスデバイスによって送信されるRTSメッセージと同じ形をとり得る。第2のネットワーク動作エンティティのワイヤレスデバイスによって受信されるCTSメッセージは、第1のネットワーク動作エンティティのワイヤレスデバイスによって受信されるCTSメッセージと同じ形をとり得る。
【００８５】
第2のCCAスロット730の時間/周波数リソースは、他のネットワーク動作エンティティのワイヤレスデバイス(たとえば、第1のネットワーク動作エンティティおよび第3のネットワーク動作エンティティのワイヤレスデバイス)による送信から保護され得る。いくつかの例では、第2のCCAスロット730中にそれを介してプリアンブルが送信される時間/周波数リソースの1つの識別子(もしくは複数の識別子)(または第2のCCAスロット730の時間/周波数リソースの1つの識別子(もしくは複数の識別子))が、送信間隔700にアクセスする可能性があり得るワイヤレスデバイスを有するすべてのネットワーク動作エンティティと共有されてよく、そうすることによって、送信間隔700中に無線周波数スペクトルを介して通信するための2番目に高い優先権を有していないワイヤレスデバイスは、送信間隔700中に無線周波数スペクトル帯域にアクセスしない。別の例では、第2のCCAスロット730の時間/周波数リソースは、より低い優先権をもつ他のネットワーク動作エンティティのワイヤレスデバイス(たとえば、第3のネットワーク動作エンティティのワイヤレスデバイス)による送信から保護されてよく、そうすることによって、送信間隔700中に無線周波数スペクトルを介して通信するための2番目に高い優先権を有していないワイヤレスデバイスは、送信間隔700中に無線周波数スペクトル帯域にアクセスしない。いくつかの例では、ネットワーク動作エンティティは、各より高い優先権のネットワーク動作エンティティに対応するCCAスロット中での、より高い優先権をもつどのネットワーク動作エンティティからのいかなる送信も検出しなかったとき、それ自体のCCAスロット中でプリアンブルまたは予約信号の送信を開始してよく、その後にそのデータ送信が続く。ネットワーク動作エンティティは、より低い優先権のネットワーク動作エンティティのCCAスロットを空にしてよく、またはそれ自体のCCAスロットの直後にデータ送信を開始し得る。
【００８６】
図7は、第2のネットワーク動作エンティティのどのワイヤレスデバイスも第2のCCAスロット730中にRTSメッセージを送信しないと仮定する。いくつかの例では、第3のネットワーク動作エンティティのワイヤレスデバイスは、第2のCCAスロット730中に無線周波数スペクトル帯域を監視することができ、第2のCCAスロット730中に(または第2のCCAスロット730に続くガード期間(図示せず)中に)、第2のCCAスロット730におけるRTSメッセージまたはCTSメッセージの不在を識別し(たとえば、どのRTSメッセージまたはCTSメッセージも第2のCCAスロット730中に送信されなかったと判断し)得る。送信間隔700中に無線周波数スペクトル帯域を介して通信することを望むとき、ならびに第1のCCAスロット715および第2のCCAスロット730の各々の中でRTSメッセージまたはCTSメッセージの不在を識別したことに少なくとも部分的に基づいて、第3のネットワーク動作エンティティの1つまたは複数のワイヤレスデバイスは、無線周波数スペクトル帯域を介して通信することができる。送信間隔700の第3のCCAスロット745(たとえば、CCAスロット2)中に、第3のネットワーク動作エンティティの1つまたは複数のワイヤレスデバイスは、第3のCCAスロット745のRTS送信機会750(たとえば、RTS Op3)中に無線周波数スペクトル帯域を介してRTSメッセージを送信することができる。RTSメッセージを送信するワイヤレスデバイスは、第3のCCAスロット745のCTS送信機会755(たとえば、CCA Op3)中に、無線周波数スペクトル帯域を介してCTSメッセージも受信し得る。いくつかの例では、第3のCCAスロット745は、第2のCCAスロット730の時間/周波数リソースよりも後の時間期間に関連付けられた1つまたは複数の時間/周波数リソースのセットを含み得る。第3のネットワーク動作エンティティのワイヤレスデバイスによって送信されるRTSメッセージは、第1のネットワーク動作エンティティおよび第2のネットワーク動作エンティティのワイヤレスデバイスによって送信されるRTSメッセージと同じ形をとり得る。第3のネットワーク動作エンティティのワイヤレスデバイスによって受信されるCTSメッセージは、第1のネットワーク動作エンティティおよび第2のネットワーク動作エンティティのワイヤレスデバイスによって受信されるCTSメッセージと同じ形をとり得る。いくつかの例では、RTSメッセージは、送信間隔700の持続時間(たとえば、フル持続時間、残りの持続時間、ダウンリンク持続時間、またはアップリンク持続時間)をシグナリングし得る。他の例では、送信間隔700の持続時間は、所定であるか、またはRTSメッセージの送信に先立って、もしくはRTSメッセージ中でシグナリングされ得る。さらに、送信間隔の持続時間も、CTSメッセージの送信に先立って、またはCTSメッセージ中でシグナリングされ得る。
【００８７】
RTSメッセージまたはCTSメッセージがそれを介して送信される時間/周波数リソース(すなわち、第3のCCAスロット745)は、他のネットワーク動作エンティティのワイヤレスデバイス(たとえば、第1のネットワーク動作エンティティおよび第2のネットワーク動作エンティティのワイヤレスデバイス)による送信から保護され得る。たとえば、第3のCCAスロット745中にCTSメッセージおよびRTSメッセージがそれを介して送信される時間/周波数リソースの1つの識別子(もしくは複数の識別子)(または第3のCCAスロット745の時間/周波数リソースの1つの識別子(もしくは複数の識別子))が、送信間隔700にアクセスする可能性があり得るワイヤレスデバイスを有するすべてのネットワーク動作エンティティと共有されてよく、そうすることによって、送信間隔700中に無線周波数スペクトルを介して通信するための3番目に高い優先権を有していないワイヤレスデバイスは、送信間隔700中に無線周波数スペクトル帯域にアクセスしない。別の例では、RTSメッセージまたはCTSメッセージがそれを介して送信される時間/周波数リソース(すなわち、第3のCCAスロット745)は、より低い優先権をもつ、他のネットワーク動作エンティティのワイヤレスデバイスによる送信から保護され得る。たとえば、ネットワーク動作エンティティは、より高い優先権のネットワーク動作エンティティからのRTS/CTSメッセージ送信がないことを検出すると、それ自体のCCAスロット中でRTS/CTSメッセージ送信を開始してよく、その後にデータ送信が続く。
【００８８】
第1のネットワーク動作エンティティのワイヤレスデバイスおよび第2のネットワーク動作エンティティのワイヤレスデバイスは、ワイヤレスデバイスが第1のCCAスロット715もしくは第2のCCAスロット730中に無線周波数スペクトル帯域を介してRTSを送信しなかったので、および/または第3のCCAスロット745中に第3のネットワーク動作エンティティのワイヤレスデバイスによって送信されたRTSまたはCTSを検出すると、送信間隔700中に無線周波数スペクトル帯域を介して通信するのを控え得る。この場合、第1のネットワーク動作エンティティまたは第2のネットワーク動作エンティティは、送信間隔600中に送信するべきデータを有する場合、後続送信間隔まで待ち、後続送信間隔中のそれ自体の優先権に依存して媒体アクセスを実施する(それに従って、送信するか、または送信しない)。
【００８９】
図4〜図7を参照して説明した送信間隔400、500、600、および700の各々は、同じ優先権のネットワーク動作エンティティに関連付けられ、ネットワーク動作エンティティの優先権は、(たとえば、異なるネットワーク動作エンティティのワイヤレスデバイスが、無線周波数スペクトル帯域への公正アクセスを有することを確実にするように、または異なるネットワーク動作エンティティのワイヤレスデバイスに、無線周波数スペクトル帯域への、より優れた、または劣るアクセスを提供するように)異なる送信間隔用には異なり得る。
【００９０】
図8は、本開示の様々な態様による、協調LBT手順を使って無線周波数スペクトル帯域にアクセスするのをサポートするワイヤレスデバイス800のブロック図を示す。無線周波数スペクトル帯域は、複数のネットワーク動作エンティティによって共有され得る。ワイヤレスデバイス800は、図1または図2を参照して説明したネットワークアクセスデバイス105またはUE115の態様の例であり得る。ワイヤレスデバイス800は、受信機810、ワイヤレス通信マネージャ820、送信機830を含み得る。ワイヤレスデバイス800は、プロセッサも含み得る。これらの構成要素の各々は、互いと通信中であり得る。
【００９１】
受信機810は、基準信号、パケット、ユーザデータ、または、様々なシグナリングもしくは情報チャネル(たとえば、制御チャネル、データチャネルなど)と関連付けられる制御情報などの信号または情報を受信し得る。受信された情報は、ワイヤレス通信マネージャ820を含む、ワイヤレスデバイス800の他の構成要素に渡されてよい。受信機810は、図11または図12を参照して説明するトランシーバ1125または1225の態様の例であり得る。受信機810は、単一のアンテナまたは複数のアンテナを含んでよく、またはそれに関連付けられてよい。
【００９２】
ワイヤレス通信マネージャ820は、ワイヤレスデバイス800のためのワイヤレス通信の1つまたは複数の態様を管理するために使用され得る。いくつかの例では、ワイヤレス通信マネージャ820の一部は、受信機810または送信機830の中に組み込まれてよく、またはそれらと共有されてよい。いくつかの例では、ワイヤレス通信マネージャ820は、協調LBT手順(たとえば、ワイヤレスデバイス800と関連付けられたネットワーク動作エンティティ以外の1つまたは複数のネットワーク動作エンティティのワイヤレスデバイスと協調されたLBT手順)の実施を管理するのに使われ得る。いくつかの例では、協調LBT手順は、図4〜図7を参照して説明した協調LBT手順または図8を参照して説明する協調LBT手順を含み得る。
【００９３】
送信機830は、基準信号、パケット、ユーザデータ、または、様々なシグナリングもしくは情報チャネル(たとえば、制御チャネル、データチャネルなど)と関連付けられる制御情報など、ワイヤレス通信マネージャ820を含む、ワイヤレスデバイス800の他の構成要素から受信された信号または情報を送信し得る。いくつかの例では、送信機830は、トランシーバ中で受信機810とコロケートされ得る。送信機830は、図11または図12を参照して説明するトランシーバ1125または1225の態様の例であり得る。送信機830は、単一のアンテナまたは複数のアンテナを含んでよく、またはそれに関連付けられてよい。
【００９４】
図9は、本開示の様々な態様による、協調LBT手順を使って無線周波数スペクトル帯域にアクセスするのをサポートするワイヤレスデバイス900のブロック図を示す。無線周波数スペクトル帯域は、複数のネットワーク動作エンティティによって共有され得る。ワイヤレスデバイス900は、図1、図2、または図8を参照して説明したネットワークアクセスデバイス105、UE115、またはワイヤレスデバイス800の態様の例であり得る。ワイヤレスデバイス900は、受信機910、ワイヤレス通信マネージャ920、送信機930を含み得る。ワイヤレスデバイス900は、プロセッサも含み得る。これらの構成要素の各々は、互いと通信中であり得る。
【００９５】
受信機910は、ワイヤレス通信マネージャ920を含む、ワイヤレスデバイス900の他の構成要素に渡されてよい信号または情報を受信し得る。受信機910はまた、図8の受信機810を参照して説明した機能を実施し得る。受信機910は、図11または図12を参照して説明するトランシーバ1125または1225の態様の例であり得る。受信機910は、単一のアンテナまたは複数のアンテナを含んでよく、またはそれに関連付けられてよい。
【００９６】
ワイヤレス通信マネージャ920は、図8を参照して説明したワイヤレス通信マネージャ820の態様の例であり得る。ワイヤレス通信マネージャ920は、優先権識別器935およびLBT手順マネージャ940を含み得る。ワイヤレス通信マネージャ920は、図11または図12を参照して説明するワイヤレス通信マネージャ1105または1205の態様の例であり得る。
【００９７】
優先権識別器935は、無線周波数スペクトル帯域の送信間隔についての、ワイヤレスデバイス900の優先権を識別するのに使われ得る。無線周波数スペクトル帯域は、図3〜図7を参照して説明したように、複数のネットワーク動作エンティティによって共有され得る。LBT手順マネージャ940は、送信間隔のいくつかのCCAスロットの各々における所定の送信タイプの不在を識別するのに使われ得る。いくつかのCCAスロットの各々は、図3〜図7を参照して説明したように、ワイヤレスデバイス900の識別された優先権よりも高い優先権に関連付けられ得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。ワイヤレス通信マネージャ920は、図3〜図7を参照して説明したように、ワイヤレスデバイス900の優先権よりも高い優先権に関連付けられた、いくつかのCCAスロットの各々における所定の送信タイプの識別された不在に少なくとも部分的に基づいて、無線周波数スペクトル帯域を介して通信するのに使われ得る。
【００９８】
送信機930は、ワイヤレス通信マネージャ920を含む、ワイヤレスデバイス900の他の構成要素から受信された信号または情報を送信し得る。いくつかの例では、送信機930は、トランシーバ中で受信機910とコロケートされ得る。送信機930は、図11または図12を参照して説明するトランシーバ1125または1225の態様の例であり得る。送信機930は、単一のアンテナもしくは複数のアンテナを含んでよく、またはそれに関連付けられてよい。
【００９９】
図10は、本開示の様々な態様による、協調LBT手順を使って無線周波数スペクトル帯域にアクセスするのをサポートするワイヤレス通信マネージャ1000のブロック図を示す。無線周波数スペクトル帯域は、複数のネットワーク動作エンティティによって共有され得る。ワイヤレス通信マネージャ1000は、図8または図9を参照して説明したワイヤレス通信マネージャ820または920の態様の例であり得る。
【０１００】
ワイヤレス通信マネージャ1000は、優先権識別器1005およびLBT手順マネージャ1010を含み得る。LBT手順マネージャ1010は、プリアンブルベースLBT手順マネージャ1015および/またはRTS/CTSベースLBT手順マネージャ1020を含み得る。これらの構成要素の各々は、(たとえば、1つまたは複数のバスを介して)直接または間接的に互いに通信し得る。
【０１０１】
優先権識別器1005は、無線周波数スペクトル帯域の送信間隔についての、ワイヤレス通信マネージャ1000を含むワイヤレスデバイスの優先権を識別するのに使われ得る。無線周波数スペクトル帯域は、図3〜図7を参照して説明したように、複数のネットワーク動作エンティティによって共有され得る。
【０１０２】
LBT手順マネージャ1010は任意選択で、送信間隔のいくつかのCCAスロットの各々の間に無線周波数スペクトル帯域を監視するのに使われ得る。いくつかのCCAスロットの各々は、図3〜図7を参照して上述したように、ワイヤレスデバイスの識別された優先権よりも高い優先権に関連付けられ得る。LBT手順マネージャ1010は、図3〜図7を参照して説明したように、いくつかのCCAスロットの各々における所定の送信タイプの不在を識別するのにも使われ得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。
【０１０３】
ワイヤレス通信マネージャ1000は、図3〜図7を参照して説明したように、ワイヤレス通信マネージャ1000を含むワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信するのに使われ得る。無線周波数帯を介して通信することは、無線周波数スペクトル帯域を介してデータを送信または受信することを含み得る。
【０１０４】
プリアンブルベースLBT手順マネージャ1015は任意選択で、無線周波数スペクトル帯域を介してプリアンブルを送信するのに使われ得る。プリアンブルは、送信間隔のCCAスロット中に送信され得る。CCAスロットは、ワイヤレス通信マネージャ1000を含むワイヤレスデバイスの優先権に関連付けられ得る。いくつかの例では、送信間隔の長さが、プリアンブル中でシグナリングされ得る。
【０１０５】
RTS/CTSベースLBT手順マネージャ1020は任意選択で、無線周波数スペクトル帯域を介して予約メッセージ(たとえば、RTSメッセージ)を送信するのに使われ得る。予約メッセージは、送信間隔のCCAスロット中に送信され得る。CCAスロットは、ワイヤレス通信マネージャ1000を含むワイヤレスデバイスの優先権に関連付けられ得る。いくつかの例では、送信間隔の長さが、RTSメッセージ中で、および/またはCTSメッセージ中でシグナリングされ得る。RTS/CTSベースLBT手順マネージャ1020は、CCAスロット中で、予約メッセージに応答して、無線周波数スペクトル帯域を介して送信された確認応答メッセージ(たとえば、CTSメッセージ)を検出するのにも使われ得る。いくつかの例では、ワイヤレス通信マネージャ1000は、図3〜図7を参照して上述したように、確認応答メッセージの検出に少なくとも部分的に基づいて、送信間隔中に、無線周波数スペクトル帯域を介してデータを送信または受信するのに使われ得る。
【０１０６】
いくつかの例では、優先権識別器1005は、無線周波数スペクトル帯域の第2の送信間隔についての、ワイヤレス通信マネージャ1000を含むワイヤレスデバイスの優先権を識別するのに使われ得る。第2の優先権は、図3〜図7を参照して説明したように、第1の送信間隔についてのワイヤレスデバイスの優先権と同じでも、異なってもよい。LBT手順マネージャ1010は、第1の送信間隔用にLBT手順が実施されるのと同様に、第2の送信間隔(および他の送信間隔)用にLBT手順を実施することができ、いくつかのケースは、第2の送信間隔(または他の送信間隔)中に無線周波数スペクトル帯域を介して通信することができる。
【０１０７】
図11は、本開示の様々な態様による、協調LBT手順を使って無線周波数スペクトル帯域にアクセスするのをサポートするワイヤレスデバイスを含むワイヤレス通信システム1100の図を示す。無線周波数スペクトル帯域は、複数のネットワーク動作エンティティによって共有され得る。いくつかの例では、ワイヤレス通信システム1100はネットワークアクセスデバイス105-fを含んでよく、これは、図1、図2、図8、または図9を参照して説明した、ネットワークアクセスデバイス105またはワイヤレスデバイス800もしくは900の態様の例であってよい。ネットワークアクセスデバイス105-fは、通信を送信するための構成要素と通信を受信するための構成要素とを含む、双方向の音声およびデータ通信のための構成要素を含み得る。いくつかの例では、ネットワークアクセスデバイス105-fは、1つまたは複数のUE115と双方向に通信し得る。
【０１０８】
ネットワークアクセスデバイス105-fは、ワイヤレス通信マネージャ1105、メモリ1110、プロセッサ1120、トランシーバ1125、アンテナ1130、ネットワークアクセスデバイス通信マネージャ1135、およびネットワーク通信マネージャ1140を含み得る。これらの構成要素の各々は、(たとえば、1つまたは複数のバスを介して)直接または間接的に互いに通信し得る。ワイヤレス通信マネージャ1105は、図8、図9または図10を参照して説明したワイヤレス通信マネージャ820、920または1000の例であり得る。
【０１０９】
メモリ1110は、ランダムアクセスメモリ(RAM)または読取り専用メモリ(ROM)を含み得る。メモリ1110は、実行されると、プロセッサ1120に、本明細書で説明する様々な機能を実施させる(たとえば、複数のネットワーク動作エンティティによって共有される無線周波数スペクトル帯域にアクセスするための協調LBT手順を実施する、など)命令を含むコンピュータ可読、コンピュータ実行可能ソフトウェア1115を記憶することができる。いくつかのケースでは、ソフトウェア1115は、プロセッサ1120によって直接実行可能でないことがあるが、(たとえば、コンパイルおよび実行されたとき)本明細書で説明する機能をプロセッサ1120に実施させてよい。プロセッサ1120は、インテリジェントハードウェアデバイス(たとえば、中央処理ユニット(CPU)、マイクロコントローラ、特定用途向け集積回路(ASIC)など)を含み得る。
【０１１０】
トランシーバ1125は、本明細書で説明するように、1つまたは複数のアンテナ、またはワイヤードリンクを介して、1つまたは複数のネットワークと双方向に通信し得る。たとえば、トランシーバ1125は、UE115-cおよび115-dと双方向に通信し得る。トランシーバ1125は、パケットを変調し、変調されたパケットを送信のためにアンテナに与え、かつアンテナから受信されたパケットを復調するためのモデムも含み得る。いくつかのケースでは、ネットワークアクセスデバイス105-fは、単一のアンテナ1130を含み得る。ただし、いくつかのケースでは、ネットワークアクセスデバイス105-fは、2つ以上のアンテナ1130を有してよく、これらのアンテナは、複数のワイヤレス送信を並行して送信または受信することが可能であり得る。
【０１１１】
ネットワークアクセスデバイス通信マネージャ1135は、ネットワークアクセスデバイス105-gおよび105-hなど、他のネットワークアクセスデバイスとの通信を管理することができ、UE115との通信を制御するためのコントローラまたはスケジューラを含み得る。いくつかの例では、ネットワークアクセスデバイス通信マネージャ1135は、ネットワークアクセスデバイス105の間の通信を提供するためのX2インターフェースを提供し得る。
【０１１２】
ネットワーク通信マネージャ1140は、(たとえば、1つまたは複数のワイヤードまたはワイヤレスリンクを介して)LAN1145またはCN1150との通信を管理し得る。たとえば、ネットワーク通信マネージャ1140は、UE115-cまたは115-dとLAN1145またはCN1150との間のデータの転送を管理することができる。
【０１１３】
図12は、本開示の様々な態様による、協調LBT手順を使って無線周波数スペクトル帯域にアクセスするのをサポートするワイヤレスデバイスを含むワイヤレス通信システム1200の図を示す。無線周波数スペクトル帯域は、複数のネットワーク動作エンティティによって共有され得る。いくつかの例では、ワイヤレス通信システム1200はUE115-eを含んでよく、UE115-eは、図1、図2、図8または図9を参照して説明したUE115またはワイヤレスデバイス800もしくは900の態様の例であってよい。
【０１１４】
UE115-eは、ワイヤレス通信マネージャ1205、メモリ1210、プロセッサ1220、トランシーバ1225、およびアンテナ1230を含み得る。これらの構成要素の各々は、(たとえば、1つまたは複数のバスを介して)直接または間接的に互いに通信し得る。ワイヤレス通信マネージャ1205は、図8、図9または図10を参照して説明したワイヤレス通信マネージャ820、920または1000の例であり得る。
【０１１５】
メモリ1210はRAMまたはROMを含み得る。メモリ1210は、実行されると、プロセッサ1220に、本明細書で説明する様々な機能を実施させる(たとえば、複数のネットワーク動作エンティティによって共有される無線周波数スペクトル帯域にアクセスするための協調LBT手順を実施する、など)命令を含むコンピュータ可読、コンピュータ実行可能ソフトウェア1215を記憶することができる。いくつかのケースでは、ソフトウェア1215は、プロセッサ1220によって直接実行可能でないことがあるが、(たとえば、コンパイルおよび実行されたとき)本明細書で説明する機能をプロセッサ1220に実施させてよい。プロセッサ1220は、インテリジェントハードウェアデバイス(たとえば、CPU、マイクロコントローラ、ASICなど)を含み得る。
【０１１６】
トランシーバ1225は、本明細書で説明するように、1つまたは複数のアンテナまたはワイヤードリンクを介して、1つまたは複数のネットワークと双方向に通信し得る。たとえば、トランシーバ1225は、ネットワークアクセスデバイス105-iと双方向に通信し得る。トランシーバ1225はまた、別のUEと双方向に通信し得る。トランシーバ1225は、パケットを変調し、変調されたパケットを送信のためにアンテナに与え、かつアンテナから受信されたパケットを復調するためのモデムも含み得る。いくつかのケースでは、UE115-eは単一のアンテナ1230を含み得る。ただし、いくつかのケースでは、UE115は、複数のワイヤレス送信を並行して送信または受信することが可能であり得る2つ以上のアンテナ1230を有してよい。
【０１１７】
図13は、本開示の様々な態様による、ワイヤレスデバイスにおけるワイヤレス通信のための方法1300を示すフローチャートを示す。方法1300の動作は、図1〜図12を参照して説明したように、ネットワークアクセスデバイス105、UE115、ワイヤレスデバイス800もしくは900またはその構成要素によって実施され得る。いくつかの例では、方法1300の動作は、図1、図8、図9、図10、図11、または図12を参照して説明したワイヤレス通信マネージャによって実施され得る。いくつかの例では、ワイヤレスデバイスは、以下で説明する機能を実施するためにワイヤレスデバイスの機能要素を制御するようにコードのセットを実行し得る。追加または代替として、ワイヤレスデバイスは、専用ハードウェアを使用して、以下で説明する機能の態様を実施し得る。
【０１１８】
ブロック1305において、ワイヤレスデバイスは、無線周波数スペクトル帯域の送信間隔についてのその優先権を識別し得る。無線周波数スペクトル帯域は、図3〜図7を参照して説明したように、複数のネットワーク動作エンティティによって共有され得る。いくつかの例では、ブロック1305の動作は、図9または図10を参照して説明した優先順位識別器を使って実施され得る。
【０１１９】
ブロック1310において、ワイヤレスデバイスは、送信間隔のいくつかのCCAスロットの各々における所定の送信タイプの不在を識別し得る。いくつかのCCAスロットの各々は、図3〜図7を参照して説明したように、ワイヤレスデバイスの識別された優先権よりも高い優先権に関連付けられ得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例では、ブロック1310の動作は、図9または図10を参照して説明したLBT手順マネージャを使って実施され得る。
【０１２０】
ブロック1315において、ワイヤレスデバイスは、図3〜図7を参照して説明したように、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信し得る。いくつかの例では、ブロック1315の動作は、図1、図8、図9、図10、図11、または図12を参照して説明したワイヤレス通信マネージャを使って実施され得る。
【０１２１】
図14は、本開示の様々な態様による、ワイヤレスデバイスにおけるワイヤレス通信のための方法1400を示すフローチャートを示す。方法1400の動作は、図1〜図12を参照して説明したように、ネットワークアクセスデバイス105、UE115、ワイヤレスデバイス800もしくは900またはその構成要素によって実施され得る。いくつかの例では、方法1400の動作は、図1、図8、図9、図10、図11、または図12を参照して説明したワイヤレス通信マネージャによって実施され得る。いくつかの例では、ワイヤレスデバイスは、以下で説明する機能を実施するためにワイヤレスデバイスの機能要素を制御するようにコードのセットを実行し得る。追加または代替として、ワイヤレスデバイスは、専用ハードウェアを使用して、以下で説明する機能の態様を実施し得る。
【０１２２】
ブロック1405において、ワイヤレスデバイスは、無線周波数スペクトル帯域の送信間隔についてのその優先権を識別し得る。無線周波数スペクトル帯域は、図3〜図7を参照して説明したように、複数のネットワーク動作エンティティによって共有され得る。いくつかの例では、ブロック1405の動作は、図9または図10を参照して説明した優先順位識別器を使って実施され得る。
【０１２３】
ブロック1410において、ワイヤレスデバイスは任意選択で、送信間隔のいくつかのCCAスロットの各々の間に無線周波数スペクトル帯域を監視し得る。いくつかのCCAスロットの各々は、図3〜図7を参照して説明したように、ワイヤレスデバイスの識別された優先権よりも高い優先権に関連付けられ得る。いくつかの例では、ブロック1410の動作は、図9または図10を参照して説明したLBT手順マネージャを使って実施され得る。
【０１２４】
ブロック1415において、ワイヤレスデバイスは、図3〜図7を参照して説明したように、1410において監視されるいくつかのCCAスロットの各々における所定の送信タイプの不在を識別し得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例では、ブロック1415の動作は、図9または図10を参照して説明したLBT手順マネージャを使って実施され得る。
【０１２５】
ブロック1420において、ワイヤレスデバイスは、図3〜図7を参照して説明したように、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信し得る。いくつかの例では、ブロック1420の動作は、図1、図8、図9、図10、図11、または図12を参照して説明したワイヤレス通信マネージャを使って実施され得る。
【０１２６】
ブロック1425において、ワイヤレスデバイスは任意選択で、無線周波数スペクトル帯域の第2の送信間隔のための、ワイヤレスデバイスの第2の優先権を識別し得る。第2の優先権は、図3〜図7を参照して説明したように、ブロック1405において識別されたワイヤレスデバイスの優先権(すなわち、第1の送信間隔についてのワイヤレスデバイスの優先権)と同じでも、異なってもよい。いくつかの例では、ブロックの動作は、図9または図10を参照して説明した優先順位識別器を使って実施され得る。
【０１２７】
図15は、本開示の様々な態様による、ワイヤレスデバイスにおけるワイヤレス通信のための方法1500を示すフローチャートを示す。方法1500の動作は、図1〜図12を参照して説明したように、ネットワークアクセスデバイス105、UE115、ワイヤレスデバイス800もしくは900またはその構成要素によって実施され得る。いくつかの例では、方法1500の動作は、図1、図8、図9、図10、図11、または図12を参照して説明したワイヤレス通信マネージャによって実施され得る。いくつかの例では、ワイヤレスデバイスは、以下で説明する機能を実施するためにワイヤレスデバイスの機能要素を制御するようにコードのセットを実行し得る。追加または代替として、ワイヤレスデバイスは、専用ハードウェアを使用して、以下で説明する機能の態様を実施し得る。
【０１２８】
ブロック1505において、ワイヤレスデバイスは、無線周波数スペクトル帯域の送信間隔についてのその優先権を識別し得る。無線周波数スペクトル帯域は、図3〜図7を参照して説明したように、複数のネットワーク動作エンティティによって共有され得る。いくつかの例では、ブロック1505の動作は、図9または図10を参照して説明した優先順位識別器935を使って実施され得る。
【０１２９】
ブロック1510において、ワイヤレスデバイスは、送信間隔のいくつかのCCAスロットの各々における所定の送信タイプの不在を識別し得る。いくつかのCCAスロットの各々は、図3〜図7を参照して説明したように、ワイヤレスデバイスの識別された優先権よりも高い優先権に関連付けられ得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例において、ブロック1510の動作は、図9もしくは図10を参照して説明したLBT手順マネージャ940、または図10を参照して説明したプリアンブルベースLBT手順マネージャ1015を使って実施され得る。
【０１３０】
ブロック1515および1520において、ワイヤレスデバイスは、図3〜図7を参照して説明したように、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信し得る。ブロック1515において、ワイヤレスデバイスは、無線周波数スペクトル帯域を介してプリアンブルを送信し得る。プリアンブルは、送信間隔のCCAスロット中に送信され得る。CCAスロットは、ワイヤレスデバイスの優先権に関連付けられ得る。いくつかの例では、送信間隔の長さが、プリアンブル中でシグナリングされ得る。いくつかの例において、ブロック1515の動作は、図9もしくは図10を参照して説明したLBT手順マネージャ940、または図10を参照して説明したプリアンブルベースLBT手順マネージャ1015を使って実施され得る。
【０１３１】
ブロック1520において、ワイヤレスデバイスは、図3〜図7を参照して説明したように、送信間隔中に、無線周波数スペクトル帯域を介してデータを送信または受信し得る。いくつかの例では、ブロック1520の動作は、図1、図8、図9、図10、図11、または図12を参照して説明したワイヤレス通信マネージャを使って実施され得る。
【０１３２】
図16は、本開示の様々な態様による、ワイヤレスデバイスにおけるワイヤレス通信のための方法1600を示すフローチャートを示す。方法1600の動作は、図1〜図12を参照して説明したように、ネットワークアクセスデバイス105、UE115、ワイヤレスデバイス800もしくは900またはその構成要素によって実施され得る。いくつかの例では、方法1600の動作は、図1、図8、図9、図10、図11、または図12を参照して説明したワイヤレス通信マネージャによって実施され得る。いくつかの例では、ワイヤレスデバイスは、以下で説明する機能を実施するためにワイヤレスデバイスの機能要素を制御するようにコードのセットを実行し得る。追加または代替として、ワイヤレスデバイスは、専用ハードウェアを使用して、以下で説明する機能の態様を実施し得る。
【０１３３】
ブロック1605において、ワイヤレスデバイスは、無線周波数スペクトル帯域の送信間隔についてのその優先権を識別し得る。無線周波数スペクトル帯域は、図3〜図7を参照して説明したように、複数のネットワーク動作エンティティによって共有され得る。いくつかの例では、ブロック1605の動作は、図9または図10を参照して説明した優先順位識別器935を使って実施され得る。
【０１３４】
ブロック1610において、ワイヤレスデバイスは、送信間隔のいくつかのCCAスロットの各々における所定の送信タイプの不在を識別し得る。いくつかのCCAスロットの各々は、図3〜図7を参照して説明したように、ワイヤレスデバイスの識別された優先権よりも高い優先権に関連付けられ得る。いくつかの例では、所定の送信タイプは、プリアンブル、予約メッセージ、RTSメッセージ、確認応答メッセージ、CTSメッセージ、またはそれらの組合せのうちの少なくとも1つを含み得る。いくつかの例において、ブロック1610の動作は、図9もしくは図10を参照して説明したLBT手順マネージャ940、または図10を参照して説明したプリアンブルベースLBT手順マネージャ1015を使って実施され得る。
【０１３５】
ブロック1615、1620および1625において、ワイヤレスデバイスは、図3〜図7を参照して説明したように、ワイヤレスデバイスの優先権よりも高い優先権に関連付けられた、いくつかのCCAスロットの各々における所定の送信タイプの識別された不在に少なくとも部分的に基づいて、無線周波数スペクトル帯域を介して通信し得る。ブロック1615において、ワイヤレスデバイスは、無線周波数スペクトル帯域を介して予約メッセージ(たとえば、RTSメッセージ)を送信し得る。予約メッセージは、送信間隔のCCAスロット中に送信され得る。CCAスロットは、ワイヤレスデバイスの優先権に関連付けられ得る。いくつかの例では、送信間隔の長さが、RTSメッセージ中でシグナリングされ得る。いくつかの例において、ブロック1615の動作は、図9もしくは図10を参照して説明したLBT手順マネージャ940、または図10を参照して説明したRTS/CTSベースLBT手順マネージャ1020を使って実施され得る。
【０１３６】
ブロック1620において、ワイヤレスデバイスは、CCAスロット中で、予約メッセージに応答して、無線周波数スペクトル帯域を介して送信された確認応答メッセージ(たとえば、CTSメッセージ)を検出し得る。いくつかの例において、ブロック1620の動作は、図9もしくは図10を参照して説明したLBT手順マネージャ940、または図10を参照して説明したRTS/CTSベースLBT手順マネージャ1020を使って実施され得る。
【０１３７】
ブロック1625において、ワイヤレスデバイスは、図3〜図7を参照して説明したように、ブロック1620における確認応答メッセージの検出に少なくとも部分的に基づいて、送信間隔中に、無線周波数スペクトル帯域を介してデータを送信または受信し得る。いくつかの例では、ブロック1625の動作は、図1、図8、図9、図10、図11、または図12を参照して説明したワイヤレス通信マネージャを使って実施され得る。
【０１３８】
上述した方法は、本開示において説明した技法の可能な実装形態を示すことに留意されたい。いくつかの例では、図13〜図16を参照して説明した方法1300、1400、1500、または1600の態様は、並べ替えられ、修正され、または組み合わされてよい。いくつかの例では、方法の動作は、異なる順序で実施され、または異なる動作を含んでよい。いくつかの例では、方法の各々の態様は、他の方法のステップもしくは態様、または本明細書で説明する他のステップもしくは技法を含むことがある。
【０１３９】
本明細書における説明は、当業者が本開示を作成または使用することを可能にするために与えられる。本開示に対する様々な修正は、当業者に容易に明らかになり、本明細書で定義する一般原理は、本開示の範囲を逸脱することなく他の変形形態に適用され得る。したがって、本開示は、本明細書で説明する例および設計に限定されず、本明細書で開示した原理および新規な特徴と一致する最も広い範囲を与えられるべきである。
【０１４０】
本明細書で説明する機能は、ハードウェア、プロセッサによって実行されるソフトウェア、ファームウェア、またはそれらの組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示の範囲内および添付の特許請求の範囲内に入る。たとえば、ソフトウェアの性質に起因して、上述した機能は、プロセッサ、ハードウェア、ファームウェア、ハードワイヤリング、またはこれらのうちのいずれかの組合せによって実行されるソフトウェアを使用して実装されることが可能である。機能を実装する特徴はまた、異なる(物理)ロケーションにおいて機能の部分が実装されるように分散されることを含めて、様々な位置に物理的に配置されてよい。また、特許請求の範囲内を含めて、本明細書で使用される場合、項目のリスト(たとえば、「のうちの少なくとも1つ」または「1つまたは複数の」などの句で始まるまたは終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。
【０１４１】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用されることが可能であり、汎用もしくは専用コンピュータまたは汎用もしくは専用プロセッサによってアクセスされることが可能である任意の他の非一時的媒体を含み得る。また、あらゆる接続が、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は通常、データを磁気的に再生し、ディスク(disc)はレーザーを用いてデータを光学的に再生する。上記の組合せも、コンピュータ可読媒体の範囲内に含まれる。
【０１４２】
本明細書で説明する技法は、CDMA、TDMA、FDMA、OFDMA、シングルキャリア周波数分割多元接続(SC-FDMA)、および他のシステムなどの、様々なワイヤレス通信システムのために使用され得る。「システム」および「ネットワーク」という用語は、しばしば、互換的に使用される。CDMAシステムは、CDMA2000、ユニバーサル地上波無線アクセス(UTRA)などの無線技術を実装してよい。CDMA2000は、IS-2000、IS-95およびIS-856標準規格をカバーする。IS-2000リリース0およびAは一般に、CDMA2000 1X、1Xなどと呼ばれる。IS-856(TIA-856)は、一般にCDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))のような無線技術を実装し得る。OFDMAシステムは、ウルトラモバイルブロードバンド(UMB)、発展型UTRA(E-UTRA)、IEEE802.11、IEEE802.16(WiMAX)、IEEE802.20、Flash-OFDMなどの無線技術を実装し得る。UTRAおよびE-UTRAは、ユニバーサルモバイルテレコミュニケーションシステム(Universal Mobile Telecommunication system(UMTS))の一部である。3GPP LTEおよびLTEアドバンスト(LTE-A)は、E-UTRAを使用するUMTSの新しいリリースである。UTRA、E-UTRA、UMTS、LTE、LTE-a、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述したシステムおよび無線技術ならびに他のシステムおよび無線技術に使用される場合がある。しかしながら、本明細書での説明は例としてLTEシステムについて説明し、上の説明の大部分でLTE用語が使用されるが、本技法は、LTE適用例以外に適用可能である。
【０１４３】
本明細書の本開示に関して説明する様々な例示的なブロックおよび構成要素は、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明する機能を実施するように設計されたそれらの任意の組合せを用いて実装または実施されてもよい。汎用プロセッサはマイクロプロセッサであってよいが、代替として、プロセッサは、任意の従来のプロセッサ、コントローラ、マイクロコントローラ、または状態機械であってよい。プロセッサは、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。したがって、本明細書で説明する機能は、1つまたは複数の他の処理ユニット(または、コア)によって、少なくとも1つの集積回路(IC)上で実施されてよい。様々な例では、当技術分野で知られている任意の方法でプログラムされ得る様々なタイプのIC(たとえば、構造化/プラットフォームASIC、FPGA、または別のセミカスタムIC)が使用され得る。各ユニットの機能はまた、全体的または部分的に、1つまたは複数の汎用プロセッサまたは特定用途向けプロセッサによって実行されるようにフォーマットされた、メモリの中に組み込まれた命令を用いて実装され得る。
【０１４４】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれか1つに適用可能である。
【符号の説明】
【０１４５】
100  ワイヤレス通信システム
105  ネットワークアクセスデバイス
105-a  eNB
105-b  ANC
105-c  RH、無線ヘッド
105-d  第1のネットワークアクセスデバイス
105-e  第2のネットワークアクセスデバイス
105-f  ネットワークアクセスデバイス
105-g  ネットワークアクセスデバイス
105-h  ネットワークアクセスデバイス
105-i  ネットワークアクセスデバイス
115  UE
115-a  UE、第1のUE
115-b  第2のUE、UE
115-c  UE
115-d  UE
115-e  UE
120  ワイヤレス通信マネージャ
125  通信リンク
130  コアネットワーク(CN)
132  バックホールリンク
134  バックホールリンク
140  ワイヤレス通信マネージャ
200  ワイヤレス通信システム
205  第1の通信リンク
210  第2の通信リンク
215  第3の通信リンク
220  カバレージエリア
225  カバレージエリア
800  ワイヤレスデバイス
810  受信機
820  ワイヤレス通信マネージャ
830  送信機
900  ワイヤレスデバイス
910  受信機
920  ワイヤレス通信マネージャ
930  送信機
935  優先権識別器
940  LBT手順マネージャ
1000  ワイヤレス通信マネージャ
1005  優先権識別器
1010  LBT手順マネージャ
1015  プリアンブルベースLBT手順マネージャ
1020  RTS/CTSベースLBT手順マネージャ
1100  ワイヤレス通信システム
1105  ワイヤレス通信マネージャ
1110  メモリ
1115  コンピュータ可読、コンピュータ実行可能ソフトウェア、ソフトウェア
1120  プロセッサ
1125  トランシーバ
1130  アンテナ
1135  ネットワークアクセスデバイス通信マネージャ
1140  ネットワーク通信マネージャ
1145  LAN
1150  CN
1200  ワイヤレス通信システム
1205  ワイヤレス通信マネージャ
1210  メモリ
1215  コンピュータ可読、コンピュータ実行可能ソフトウェア、ソフトウェア
1220  プロセッサ
1225  トランシーバ
1230  アンテナ
【図１】
2019531035.tif 000003
【図２】
2019531035.tif 000004
【図３】
2019531035.tif 000005
【図４】
2019531035.tif 000006
【図５】
2019531035.tif 000007
【図６】
2019531035.tif 000008
【図７】
2019531035.tif 000009
【図８】
2019531035.tif 000010
【図９】
2019531035.tif 000011
【図１０】
2019531035.tif 000012
【図１１】
2019531035.tif 000013
【図１２】
2019531035.tif 000014
【図１３】
2019531035.tif 000015
【図１４】
2019531035.tif 000016
【図１５】
2019531035.tif 000017
【図１６】
2019531035.tif 000018
【国際調査報告】
2019531035.tif 000019
2019531035.tif 000020
2019531035.tif 000021